(57)【要約】【課題】中間転写体への張力付与の状況の変化に伴って中間転写体に生じるしわを抑制すること。【解決手段】中間転写体（Ｂ）と、第１移動部材（Ｒ１）と、第２移動部材（Ｒ２）と、第１張力付与部材（Ｒｄ）と、第２張力付与部材（Ｒｔ２）と、第1移動部材（Ｒ１）および第２移動部材（Ｒ２）のうち少なくともいずれか一方が第２の位置に移動した場合に中間転写体（Ｂ）に対して張力を付与すると共に、第１移動部材（Ｒ１）および第２移動部材（Ｒ２）とが両方とも第１の位置にある場合には中間転写体（Ｂ）から離隔している第３張力付与部材（Ｒｔａ，Ｒｔｂ，Ｒｔａ′）とを備えた中間転写装置（ＢＭ）。【選択図】図７
2010230968.tif 000002
【特許請求の範囲】
【請求項１】
回転方向に沿って、第１の画像を保持する第１像保持体と、第２の画像を保持する第２像保持体との対向領域を外表面が順次通過する無端帯状の中間転写体と、
前記中間転写体の裏面側、且つ、前記第１像保持体側に配置され、前記中間転写体へ張力を付与する第１の位置と、前記第１の位置よりも前記中間転写体から遠ざかった第２の位置と、の間で移動可能に設けられた第１移動部材と、
前記中間転写体の裏面側、且つ、前記第２像保持体側に配置され、前記中間転写体へ張力を付与する第１の位置と、前記第1の位置よりも前記中間転写体から遠ざかった第２の位置と、の間で移動可能に設けられた第２移動部材と、
前記第１移動部材に対して、前記中間転写体の回転方向上流側に配置され、前記中間転写体へ張力を付与する第１張力付与部材と、
前記第２移動部材に対して、前記中間転写体の回転方向下流側に配置され、前記中間転写体へ張力を付与する第２張力付与部材と、
前記中間転写体の裏面側に配置され、前記第1移動部材および前記第２移動部材のうち少なくともいずれか一方が前記第２の位置に移動した場合に前記中間転写体に対して張力を付与すると共に、前記第１移動部材および前記第２移動部材とが両方とも前記第１の位置にある場合には前記中間転写体から離隔している第３張力付与部材と、
を備えたことを特徴とする中間転写装置。
【請求項２】
前記中間転写体の裏面側、且つ、前記中間転写体の回転方向に沿って、前記第１移動部材と前記第３張力付与部材との間に配置され、前記中間転写体へ張力を付与する第４張力付与部材、
を備えたことを特徴とする請求項１に記載の中間転写装置。
【請求項３】
前記第１張力付与部材と前記第１の位置の前記第２移動部材とを結ぶ第１の線分と、前記第１の位置の前記第１移動部材と前記第２張力付与部材とを結ぶ第２の線分との交点となる交点位置に予め配置された前記第３張力付与部材、
を備えたことを特徴とする請求項１に記載の中間転写装置。
【請求項４】
回転方向に沿って、前記第１像保持体と、前記第２像保持体と、第３の画像を保持する第３像保持体との対向領域を外表面が順次通過する前記中間転写体と、
前記中間転写体の裏面側、且つ、前記中間転写体の回転方向に沿って、前記第２移動部材と前記第２張力付与部材との間に配置され、前記中間転写体へ張力を付与する第１の位置と、前記第1の位置よりも前記中間転写体から遠ざかった第２の位置と、の間で移動可能に設けられた第３移動部材と、
前記第１移動部材が前記第１の位置に移動し且つ前記第２移動部材が前記第２の位置に移動し且つ前記第３移動部材が前記第１の位置に移動した場合に、前記中間転写体の回転方向に沿って、前記第１移動部材と前記第３移動部材との間で前記中間転写体に対して張力を付与すると共に、前記第１移動部材が前記第１の位置に移動し且つ前記第２移動部材が前記第２の位置に移動し且つ前記第３移動部材が前記第２の位置に移動した場合に、前記中間転写体の回転方向に沿って、前記第１移動部材と前記第２張力付与部材との間で前記中間転写体に対して張力を付与する前記第３張力付与部材と、
を備えたことを特徴とする請求項１ないし３のいずれかに記載の中間転写装置。
【請求項５】
各画像を保持する各像保持体に外表面が対向して配置された無端帯状の中間転写体の外表面上に前記画像が転写される請求項１ないし４のいずれかに記載の中間転写装置と、
前記中間転写体の外表面上に転写された画像を最終転写体に転写する最終転写部材と、
を備えたことを特徴とする転写装置。
【請求項６】
表面に各画像用の潜像が形成される各像保持体と、
前記各像保持体表面の潜像を可視像としての各画像に現像する各現像装置と、
前記各像保持体表面の画像を媒体に転写する請求項５に記載の転写装置と、
前記媒体表面の画像を定着させる定着装置と、
を備えたことを特徴とする画像形成装置。
【発明の詳細な説明】
【技術分野】
【０００１】
本発明は、中間転写装置、転写装置および画像形成装置に関する。
【背景技術】
【０００２】
従来、電子写真方式の複写機やプリンタ等の画像形成装置において、感光体表面に形成された可視像を中間転写ベルト等の中間転写体に１次転写し、中間転写体から媒体に２次転写した後で、定着する画像形成装置に関して、以下の特許文献１〜４に記載の技術が従来公知である。
【０００３】
特許文献１としての特開平１０−２６８４６号公報には、感光体ドラム（１０）に接するベルト状のトナー像受像体（１４ａ）を張架する張架ロール（１４ｄ，１４ｅ，１４ｉ，１４ｊ）の位置が予め設定されている画像形成装置に関する技術が記載されている。特許文献１には、前記張架ロール（１４ｄ，１４ｅ，１４ｉ，１４ｊ）どうしの間隔を長くし過ぎないようにすることにより、前記トナー像受像体（１４ａ）のしわによる画像劣化を低減する技術が記載されている。
【０００４】
また、特許文献２としての特開２００１−１９４９３２号公報には、中間転写ベルト（２，１１０）を張架する張架ロール（３，１０５Ｙ〜１０５Ｋ，１３１〜１３５）の位置が予め設定されている画像形成装置において、高温高湿環境下で感光体ドラム（１，１０１Ｙ〜１０１Ｋ）と中間転写ベルト（２，１１０）との圧接力である一次転写ニップ荷重を大きくして、一次転写ニップ域を強制的に平滑化させることにより、前記中間転写ベルト（２，１１０）の搬送方向のしわ、いわゆる、テンションライン（Ｌ）の形成部に発生する画像欠陥を低減する技術が記載されている。
【０００５】
また、特許文献３としての特開２００２−９１１８５号公報には、前記中間転写ベルト（２，１１０）を張架する張架ロール（２，２ａ，２ｂ，３，１０５Ｙ〜１０５Ｋ，１３１〜１３６）の位置が予め設定されている画像形成装置において、前記中間転写ベルト（２，１１０）の蛇行を補正するために傾動自在なステアリングロール（２ｂ，１３３）と、前記ステアリングロール（２ｂ，１３３）の傾動方向の逆方向に傾動することにより、前記中間ベルト（２，１１０）の張力分布が偏ることを低減する第二ステアリングロール（５，１６０）とにより、前記画像欠陥の発生を低減する技術が記載されている。
したがって、特許文献１〜３には、中間転写ベルトが感光体ドラムに接触・離間しない場合に、前記中間転写ベルトのしわによる画像劣化を低減する技術が記載されている。
【０００６】
また、特許文献４としての特開２００８−１３９７４９号公報には、白黒画像の出力を行う、いわゆる、モノクロモードと、フルカラー画像の出力を行う、いわゆる、フルカラーモードとを設けて、モノクロモードの際には、イエロー、マゼンタ、シアンの感光体（１Ｙ〜１Ｃ）の駆動を停止し、対応する１次転写ロール（５Ｙ〜５Ｃ）を中間転写ベルト（６）から離間させるカラー画像形成装置に関する技術が記載されている。特許文献４には、中間転写ベルト（６）を張架する張架ロール（５Ｙ〜５Ｋ，７，９，１３）のうちの負荷付与ローラ（１３）が、中間転写ベルト（６）を挟んで対向する負荷対向ローラ（１４）と接触・離間する位置に移動することにより、前記負荷付与ローラ（１３）による前記中間転写ベルト（６）の張力が変化して、前記中間転写ベルト（６）の姿勢が変化するカラー画像形成装置に関する技術が記載されている。
したがって、特許文献４には、張架ロールが中間転写ベルトに対して、接近・離隔することにより、中間転写ベルトの姿勢が変化する技術が記載されている。
【先行技術文献】
【特許文献】
【０００７】
【特許文献１】特開平１０−２６８４６号公報（要約書、「００４８」〜「００５６」、図１、図３）
【特許文献２】特開２００１−１９４９３２号公報（要約書、「００１８」〜「００３９」、図１〜図３）
【特許文献３】特開２００２−９１１８５号公報（要約書、「００４１」，「００４２」、図１、図３、図６）
【特許文献４】特開２００８−１３９７４９号公報（「００４４」〜「００５０」、図１〜図３）
【発明の概要】
【発明が解決しようとする課題】
【０００８】
本発明は、中間転写体への張力付与の状況の変化に伴って中間転写体に生じるしわを抑制することを技術的課題とする。
【課題を解決するための手段】
【０００９】
前記技術的課題を解決するために、請求項１記載の発明の中間転写装置は、
回転方向に沿って、第１の画像を保持する第１像保持体と、第２の画像を保持する第２像保持体との対向領域を外表面が順次通過する無端帯状の中間転写体と、
前記中間転写体の裏面側、且つ、前記第１像保持体側に配置され、前記中間転写体へ張力を付与する第１の位置と、前記第１の位置よりも前記中間転写体から遠ざかった第２の位置と、の間で移動可能に設けられた第１移動部材と、
前記中間転写体の裏面側、且つ、前記第２像保持体側に配置され、前記中間転写体へ張力を付与する第１の位置と、前記第１の位置よりも前記中間転写体から遠ざかった第２の位置と、の間で移動可能に設けられた第２移動部材と、
前記第１移動部材に対して、前記中間転写体の回転方向上流側に配置され、前記中間転写体へ張力を付与する第１張力付与部材と、
前記第２移動部材に対して、前記中間転写体の回転方向下流側に配置され、前記中間転写体へ張力を付与する第２張力付与部材と、
前記中間転写体の裏面側に配置され、前記第１移動部材および前記第２移動部材のうち少なくともいずれか一方が前記第２の位置に移動した場合に前記中間転写体に対して張力を付与すると共に、前記第１移動部材および前記第２移動部材とが両方とも前記第１の位置にある場合には前記中間転写体から離隔している第３張力付与部材と、
を備えたことを特徴とする。
【００１０】
請求項２に記載の発明は、請求項１に記載の中間転写装置において、
前記中間転写体の裏面側、且つ、前記中間転写体の回転方向に沿って、前記第１移動部材と前記第３張力付与部材との間に配置され、前記中間転写体へ張力を付与する第４張力付与部材、
を備えたことを特徴とする。
【００１１】
請求項３に記載の発明は、請求項１に記載の中間転写装置において、
前記第１張力付与部材と前記第１の位置の前記第２移動部材とを結ぶ第１の線分と、前記第１の位置の前記第１移動部材と前記第２張力付与部材とを結ぶ第２の線分との交点となる交点位置に予め配置された前記第３張力付与部材、
を備えたことを特徴とする。
【００１２】
請求項４に記載の発明は、請求項１ないし３のいずれかに記載の中間転写装置において、
回転方向に沿って、前記第１像保持体と、前記第２像保持体と、第３の画像を保持する第３像保持体との対向領域を外表面が順次通過する前記中間転写体と、
前記中間転写体の裏面側、且つ、前記中間転写体の回転方向に沿って、前記第２移動部材と前記第２張力付与部材との間に配置され、前記中間転写体へ張力を付与する第１の位置と、前記第１の位置よりも前記中間転写体から遠ざかった第２の位置と、の間で移動可能に設けられた第３移動部材と、
前記第１移動部材が前記第１の位置に移動し且つ前記第２移動部材が前記第２の位置に移動し且つ前記第３移動部材が前記第１の位置に移動した場合に、前記中間転写体の回転方向に沿って、前記第１移動部材と前記第３移動部材との間で前記中間転写体に対して張力を付与すると共に、前記第１移動部材が前記第１の位置に移動し且つ前記第２移動部材が前記第２の位置に移動し且つ前記第３移動部材が前記第２の位置に移動した場合に、前記中間転写体の回転方向に沿って、前記第１移動部材と前記第２張力付与部材との間で前記中間転写体に対して張力を付与する前記第３張力付与部材と、
を備えたことを特徴とする。
【００１３】
前記技術的課題を解決するために、請求項５記載の発明の転写装置は、
各画像を保持する各像保持体に外表面が対向して配置された無端帯状の中間転写体の外表面上に前記画像が転写される請求項１ないし４のいずれかに記載の中間転写装置と、
前記中間転写体の外表面上に転写された画像を最終転写体に転写する最終転写部材と、
を備えたことを特徴とする。
【００１４】
前記技術的課題を解決するために、請求項６記載の発明の画像形成装置は、
表面に各画像用の潜像が形成される各像保持体と、
前記各像保持体表面の潜像を可視像としての各画像に現像する各現像装置と、
前記各像保持体表面の画像を媒体に転写する請求項５に記載の転写装置と、
前記媒体表面の画像を定着させる定着装置と、
を備えたことを特徴とする。
【発明の効果】
【００１５】
請求項１、５、６に記載の発明によれば、第３張力付与部材を有しない場合に比べ、中間転写体への張力付与の状況の変化に伴って中間転写体に生じるしわを抑制することができる。
請求項２に記載の発明によれば、第２移動部材が第２の位置に移動した場合に、前記中間転写体が各部材で張力が付与されない長さであるフリー長を、第４張力付与部材から第２張力付与部材までの長さから、第４張力付与部材から第３張力付与部材までの長さと、第３張力付与部材から第２張力付与部材までの長さとに分割して短くでき、第３張力付与部材を有しない場合に比べ、前記フリー長が長くなり過ぎた場合に発生するテンションラインを低減できる。
【００１６】
請求項３に記載の発明によれば、第３張力付与部材が交点位置に配置されない場合に比べ、第１張力付与部材から第３張力付与部材までの長さと、第３張力付与部材から第２張力付与部材までの長さとが長くなり過ぎることを低減でき、テンションラインを低減できる。また、請求項３に記載の発明によれば、第３張力付与部材による張力が大きくなることを低減でき、中間転写部材全体の張力分布が偏ることを低減できる。
請求項４に記載の発明によれば、第１移動部材と第２張力付与部材との間に２以上の移動部材が配置されている構成において、第３張力付与部材を有しない場合に比べ、中間転写体への張力付与の状況の変化に伴って中間転写体に生じるしわを抑制することができる。
【図面の簡単な説明】
【００１７】
【図１】図１は本発明の実施例１の画像形成装置の全体説明図である。
【図２】図２は本発明の実施例１のベルトモジュールの全体説明図である。
【図３】図３は本発明の実施例１の第１リンクの要部拡大説明図であり、図３Ａは第１リトラクトロールが接触位置に移動した場合の第１リンクの状態説明図であり、図３Ｂは第１リトラクトロールが離隔位置に移動した場合の第１リンクの状態説明図である。
【図４】図４は本発明の実施例１の画像形成装置の制御部が備えている各機能をブロック図で示した図である。
【図５】図５は本発明の実施例１の画像形成色設定画像の説明図である。
【図６】図６は本発明の実施例１の姿勢設定テーブルの説明図である。
【図７】図７は本発明の実施例１の作用説明図であり、実施例１の中間転写ベルトの姿勢変化の一例の拡大説明図であり、図２の状態からＧ色およびＯ色の感光体ドラムが中間転写ベルトから離間した状態の説明図である。
【図８】図８は本発明の実施例１の作用説明図であり、実施例１の中間転写ベルトの姿勢変化の一例の拡大説明図であり、図７の状態からＹ色、Ｍ色およびＣ色の感光体ドラムが中間転写ベルトから離間した状態の説明図である。
【図９】図９は本発明の実施例１の作用説明図であり、実施例１の中間転写ベルトの姿勢変化の一例の拡大説明図であり、図２の状態からＹ色、Ｍ色、Ｃ色、Ｋ色の感光体ドラムが中間転写ベルトから離間した状態の説明図である。
【図１０】図１０は本発明の実施例１の作用説明図であり、中間転写ベルトに発生するテンションラインの拡大説明図である。
【図１１】図１１は実施例１の図２に対応する本発明の実施例２のベルトモジュールの要部拡大説明図である。
【図１２】図１２は実施例１の図４に対応する本発明の実施例２の画像形成装置の制御部が備えている各機能をブロック図で示した図である。
【図１３】図１３は実施例１の図５に対応する本発明の実施例２の画像形成色設定画像の説明図である。
【図１４】図１４は実施例１の図６に対応する本発明の実施例２の姿勢設定テーブルの説明図である。
【発明を実施するための形態】
【００１８】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１９】
図１は本発明の実施例１の画像形成装置の全体説明図である。
図１において、実施例１の画像形成装置Ｕは、操作部の一例としてのユーザインタフェースＵＩ、画像情報入力装置の一例としてのイメージ入力装置Ｕ１、給紙装置Ｕ２、画像形成装置本体Ｕ３、および用紙処理装置Ｕ４を有している。
【００２０】
前記ユーザインタフェースＵＩは、画像形成開始釦の一例としてのコピースタートキー、画像形成枚数設定釦の一例としてのコピー枚数設定キー、数字入力釦の一例としてのテンキー等の入力釦および表示器ＵＩ１を有している。
前記イメージ入力装置Ｕ１は、自動原稿搬送装置の一例であって、画像読取装置の一例としてのイメージスキャナ等により構成されている。図１において、イメージ入力装置Ｕ１では、図示しない原稿を読取って画像情報に変換し、画像形成装置本体Ｕ３に入力する。また、実施例１の前記画像形成装置本体Ｕ３には、画像情報送信装置の一例としてのクライアントパソコンＰＣが接続されており、前記クライアントパソコンＰＣから、画像形成動作時に使用する画像形成色が設定された画像形成色設定情報と、設定された画像形成色に応じて色分解された前記画像情報とが入力される。
【００２１】
実施例１の前記クライアントパソコンＰＣは、いわゆる、計算機、いわゆる、コンピュータ装置により構成されており、画像情報送信装置本体の一例としてのコンピュータ本体Ｈ１と、表示部材の一例としてのディスプレイＨ２と、入力部材の一例としてのキーボードＨ３やマウスＨ４等と、図示しない情報記憶部材の一例としてのＨＤドライブ、いわゆる、ハードディスクドライブ等により構成されている。
複数の給紙部の一例としての給紙トレイＴＲ１〜ＴＲ４、前記各給紙トレイＴＲ１〜ＴＲ４に収容された最終転写体、媒体の一例としての記録用紙Ｓを取り出して画像形成装置本体Ｕ３に搬送する給紙路ＳＨ１等を有している。
【００２２】
図１において、画像形成装置本体Ｕ３は、前記給紙装置Ｕ２から搬送された記録用紙Ｓに画像記録を行う画像記録部、現像剤補給装置の一例としてのトナーディスペンサー装置Ｕ３ａ、用紙搬送路ＳＨ２、用紙排出路ＳＨ３、用紙反転路ＳＨ４、用紙循環路ＳＨ６等を有している。なお、前記画像記録部については後述する。
また、画像形成装置本体Ｕ３は、制御部Ｃ、および、前記制御部Ｃにより制御される潜像書込装置駆動回路の一例としてのレーザ駆動回路Ｄ、前記制御部Ｃにより制御される電源回路Ｅ等を有している。前記レーザ駆動回路Ｄは、前記イメージ入力装置Ｕ１から入力されたＧ：グリーン、すなわち、緑色、Ｏ：オレンジ、すなわち、橙色、Ｙ：イエロー、すなわち、黄色、Ｍ：マゼンタ、すなわち、紅紫色、Ｃ：シアン、すなわち、藍緑色、Ｋ：ブラック、すなわち、黒色の画像情報に応じたレーザ駆動信号を予め設定された時期、いわゆる、タイミングで、Ｇ〜Ｋの各色の潜像形成装置ＲＯＳg，ＲＯＳo，ＲＯＳy，ＲＯＳm，ＲＯＳc，ＲＯＳkに出力する。
【００２３】
また、前記各色の潜像形成装置ＲＯＳg〜ＲＯＳkの下方には、Ｇ〜Ｋの各色の像保持体ユニットＵＧ，ＵＯ，ＵＹ，ＵＭ，ＵＣ，ＵＫと、現像装置の一例としてのＧ〜Ｋの各色の現像器ＧＧ，ＧＯ，ＧＹ，ＧＭ，ＧＣ，ＧＫとが着脱可能に配置されている。
黒の像保持体ユニットＵＫは、第６像保持体の一例であって、黒色用像保持体の一例としての黒色用感光体ドラムＰｋ、帯電器ＣＣｋおよび像保持体用清掃器の一例としてのクリーナＣＬｋを有している。また、前記感光体ドラムＰｋの右方には、黒の現像器ＧＫの現像部材の一例としての現像ロールＲ０が隣接している。
【００２４】
そして、他のＧ〜Ｃの各色の像保持体ユニットＵＧ〜ＵＣも、第１像保持体の一例であって、第１特色用像保持体の一例としての緑色用感光体ドラムＰｇ、第２像保持体の一例であって、第２特色用像保持体の一例としての橙色用感光体ドラムＰｏ、第３像保持体の一例としての黄色用感光体ドラムＰｙ、第４像保持体の一例としての紅紫色用感光体ドラムＰｍ、第５像保持体の一例としての藍緑色用感光体ドラムＰｃをそれぞれ有する。また、前記各感光体ドラムＰｇ〜Ｐｃには、対応する各色の帯電器ＣＣｇ，ＣＣｏ，ＣＣｙ，ＣＣｍ，ＣＣｃ、クリーナＣＬｇ，ＣＬｏ，ＣＬｙ，ＣＬｍ，ＣＬｃが隣接して配置されている。また、前記各感光体ドラムＰｇ〜Ｐｃの右方にも、各色の現像器ＧＧ〜ＧＣの現像部材の一例としての現像ロールＲ０が隣接している。
【００２５】
なお、実施例１では、使用頻度の高く表面の磨耗が多いＫ色の感光体ドラムＰｋは、他の色の感光体ドラムＰｇ〜Ｐｃに比べて大径に構成され、高速回転対応および長寿命化がされている。
前記緑色用感光体ドラムＰｇと、前記橙色用感光体ドラムＰｏとにより、特色用像保持体の一例としての２個の特色用感光体ドラムＰｇ，Ｐｏが構成されている。また、前記黄色用感光体ドラムＰｙと、前記紅紫色用感光体ドラムＰｍと、前記藍緑色用感光体ドラムＰｃとにより、３色用像保持体の一例としての３個の３色用感光体ドラムＰｙ，Ｐｍ，Ｐｃが構成されている。
また、前記各像保持体ユニットＵＧ〜ＵＫと前記各現像器ＧＧ〜ＧＫとにより可視像形成部材（ＵＧ＋ＧＧ），（ＵＯ＋ＧＯ），（ＵＹ＋ＧＹ），（ＵＭ＋ＧＭ），（ＵＣ＋ＧＣ），（ＵＫ＋ＧＫ）が構成されている。
【００２６】
図１において、感光体ドラムＰｇ〜Ｐｋは、それぞれ帯電器ＣＣｇ〜ＣＣｋにより一様に帯電された後、前記潜像形成装置ＲＯＳg〜ＲＯＳkの出力する潜像書込光の一例としてのレーザビームＬｇ，Ｌｏ，Ｌｙ，Ｌｍ，Ｌｃ，Ｌｋによりその表面に静電潜像が形成される。前記各感光体ドラムＰｇ〜Ｐｋ表面の静電潜像は、現像器ＧＧ〜ＧＫにより、Ｇ：グリーン、Ｏ：オレンジ、Ｙ：イエロー、Ｍ：マゼンタ、Ｃ：シアン、Ｋ：黒の各色の画像、可視像の一例としてのトナー像に現像される。
【００２７】
感光体ドラムＰｇ〜Ｐｋ表面上のトナー像は、下方に設定された中間転写領域の一例としての１次転写領域Ｑ３ｇ，Ｑ３ｏ，Ｑ３ｙ，Ｑ３ｍ，Ｑ３ｃ，Ｑ３ｋにおいて、中間転写部材の一例としての１次転写ロールＴ１ｇ，Ｔ１ｏ，Ｔ１ｙ，Ｔ１ｍ，Ｔ１ｃ，Ｔ１ｋにより、中間転写体の一例としての中間転写ベルトＢ上に順次重ねて転写され、中間転写ベルトＢ上に多色画像、いわゆる、カラー画像が形成される。中間転写ベルトＢ上に形成されたカラー画像は、２次転写領域Ｑ４に搬送される。
また、黒画像データのみの場合は、黒色用感光体ドラムＰｋおよび現像器ＧＫのみが使用され、黒のトナー像のみが形成される。
なお、実施例１では、前記３色用感光体ドラムＰｙ〜Ｐｃの各１次転写領域Ｑ３ｙ，Ｑ３ｍ，Ｑ３ｃと前記黒色用感光体ドラムＰｋの１次転写領域Ｑ３ｋとを結ぶ線分が直線状に延びるように予め設定されている。
１次転写後、感光体ドラムＰｇ〜Ｐｋ表面の残留トナーは感光体ドラム用の各クリーナＣＬｇ〜ＣＬｋによりクリーニングされる。
【００２８】
図２は本発明の実施例１のベルトモジュールの全体説明図である。
前記ベルトモジュールＢＭは、前記中間転写ベルトＢを有している。前記中間転写ベルトＢの裏面側右端部には、第１張力付与部材の一例であって、中間転写体駆動部材の一例としてのベルト駆動ロールＲｄが配置されている。前記ベルト駆動ロールＲｄは、前記中間転写ベルトＢを回転方向としての矢印Ｙａ方向に回転駆動させる。また、前記中間転写ベルトＢの裏面側には、前記黒色用感光体ドラムＰｋの左方に第２張力付与部材の一例としての第２中間転写体支持部材Ｒｔ２が配置されており、ＧＯの前記各感光体ドラムＰｇ，Ｐｏどうしの間に第４張力付与部材の一例としての第３中間転写体支持部材Ｒｔ３が配置されている。また、前記中間転写ベルトＢの裏面側には、前記中間転写ベルトＢに張力を付与する張力付与部材の一例としての複数のテンションロールＲｔが配置されている。さらに、前記中間転写ベルトＢの裏面側には、前記中間転写ベルトＢの蛇行を防止する蛇行防止部材の一例としてのウォーキングロールＲｗや、従動部材の一例としての複数のアイドラロールＲｆや、２次転写対向部材の一例としてのバックアップロールＴ２ａが配置されている。
【００２９】
したがって、実施例１の前記ベルトモジュールＢＭでは、前記各ロールＲｄ，Ｒｔ２，Ｒｔ３，Ｒｔ，Ｒｗ，Ｒｆ，Ｔ２ａ等により、前記中間転写ベルトＢが張架されている。
また、実施例１では、Ｇ色の１次転写ロールＴ１ｇの矢印Ｙａ方向上流側には、矢印Ｙａ方向に対して垂直な方向である接離方向に移動可能に支持された第１移動部材の一例としての第１リトラクトロールＲ１が配置されている。実施例１の前記第１リトラクトロールＲ１は、前記緑色用感光体ドラムＰｇに前記中間転写ベルトＢを接触させる第１接触位置と、離隔させる第１離隔位置との間で移動可能に支持されている。すなわち、前記第１リトラクトロールＲ１は、前記中間転写ベルトＢへ張力を付与する第１の位置の一例としての前記第１接触位置と、前記第１接触位置よりも前記中間転写ベルトＢから遠ざかった第２の位置の一例としての前記第１離隔位置との間で移動可能に支持されている。
【００３０】
また、ＯＹの前記各１次転写ロールＴ１ｏ，Ｔ１ｙどうしの間には、前記第１リトラクトロールＲ１と同様に構成された第２移動部材の一例としての第２リトラクトロールＲ２と、第３移動部材の一例としての第３リトラクトロールＲ３とが並んで配置されている。実施例１の前記第２リトラクトロールＲ２は、前記橙色用感光体ドラムＰｏに前記中間転写ベルトＢを接触させる第２接触位置と、離隔させる第２離隔位置との間で移動可能に支持されている。すなわち、前記第２リトラクトロールＲ２は、前記中間転写ベルトＢへ張力を付与する第１の位置の一例としての前記第２接触位置と、前記第２接触位置よりも前記中間転写ベルトＢから遠ざかった第２の位置の一例としての前記第２離隔位置との間で移動可能に支持されている。また、実施例１の前記第３リトラクトロールＲ３は、前記３色用感光体ドラムＰｙ〜Ｐｃに前記中間転写ベルトＢを同時に接触させる第３接触位置と、同時に離隔させる第３離隔位置との間で移動可能に支持されている。すなわち、前記第３リトラクトロールＲ３は、前記中間転写ベルトＢへ張力を付与する第１の位置の一例としての前記第３接触位置と、前記第３接触位置よりも前記中間転写ベルトＢから遠ざかった第２の位置の一例としての前記第３離隔位置との間で移動可能に支持されている。
【００３１】
また、Ｋ色の各１次転写ロールＴ１ｋの矢印Ｙａ方向下流側には、前記各リトラクトロールＲ１〜Ｒ３と同様に構成された第４移動部材の一例としての第４リトラクトロールＲ４が配置されている。実施例１の前記第４リトラクトロールＲ４は、前記黒色用感光体ドラムＰｋに前記中間転写ベルトＢを接触させる第４接触位置と、離隔させる第４離隔位置との間で移動可能に支持されている。すなわち、前記第４リトラクトロールＲ４は、前記中間転写ベルトＢへ張力を付与する第１の位置の一例としての前記第４接触位置と、前記第４接触位置よりも前記中間転写ベルトＢから遠ざかった第２の位置の一例としての前記第４離隔位置との間で移動可能に支持されている。
【００３２】
さらに、ＣＫの前記各１次転写ロールＴ１ｃ，Ｔ１ｋどうしの間には、前記各リトラクトロールＲ１〜Ｒ４と同様に構成された第５移動部材の一例としての第５リトラクトロールＲ５が配置されている。実施例１の前記第５リトラクトロールＲ５は、前記３色用感光体ドラムＰｙ〜Ｐｃと前記黒色用感光体ドラムＰｋとのいずれか一方または両方を前記中間転写ベルトＢに接触させる第５接触位置と、ＹＭＣＫの前記各感光体ドラムＰｙ〜Ｐｋを前記中間転写ベルトＢから離隔させる第５離隔位置との間で移動可能に支持されている。すなわち、前記第５リトラクトロールＲ５は、前記中間転写ベルトＢへ張力を付与する第１の位置の一例としての前記第５接触位置と、前記第５接触位置よりも前記中間転写ベルトＢから遠ざかった第２の位置の一例としての前記第５離隔位置との間で移動可能に支持されている。
【００３３】
なお、実施例１では、図２に示すように、前記第３接触位置の第３リトラクトロールＲ３から前記第４接触位置の第４リトラクトロールＲ４までの前記中間転写ベルトＢの外表面に沿う第１線分Ｌ１が直線状になるように予め設定されている。また、固定支持された前記第３中間転写体支持部材Ｒｔ３から前記第３接触位置の第３リトラクトロールＲ３までの前記中間転写ベルトＢの外表面に沿う第２線分Ｌ２が直線状になるように予め設定されている。また、前記第４接触位置の第４リトラクトロールＲ４から固定支持された前記第２中間転写体支持部材Ｒｔ２までの前記中間転写ベルトＢの外表面に沿う第３線分Ｌ３が直線状になるように予め設定されている。また、前記中間転写ベルトＢは、固定支持された前記ベルト駆動ロールＲｄから前記第３中間転写体支持部材Ｒｔ３までの前記中間転写ベルトＢの外表面に沿う第４線分Ｌ４が直線状になるように予め設定されている。
【００３４】
そして、実施例１では、前記第２線分Ｌ２が、前記第１線分Ｌ１に対して、第１角度αだけ下方に傾斜している。また、前記第３線分Ｌ２が、前記第１線分Ｌ１に対して、第２角度βだけ下方に傾斜している。また、前記第４線分Ｌ２が、前記第２線分Ｌ２に対して、第３角度γだけ下方に傾斜している。
したがって、実施例１では、前記各線分Ｌ２，Ｌ３，Ｌ４が、前記第１線分Ｌ１に対して、前記各角度α，β，（α＋γ）だけ、前記中間転写ベルトＢの裏面側である下方に傾斜して延びるように前記中間転写ベルトＢの姿勢が予め設定されている。
【００３５】
また、前記第３中間転写体支持部材Ｒｔ３と前記第２リトラクトロールＲ２との間には、第３張力付与部材の一例としての第１離間時張架ロールＲｔａが配置されている。実施例１の前記第１離間時張架ロールＲｔａは、前記第２リトラクトロールＲ２が前記第２接触位置に移動した場合に、前記中間転写ベルトＢから離隔すると共に、前記第２リトラクトロールＲ２が前記第２離隔位置に移動した場合に、前記中間転写ベルトＢを裏面から支持する第１離間時接触位置に予め配置されている。
また、第３リトラクトロールＲ３と第５リトラクトロールＲ５との間には、第２の第３張力付与部材の一例としての第２離間時張架ロールＲｔｂが配置されている。実施例１の前記第２離間時張架ロールＲｔｂは、前記各リトラクトロールＲ３，Ｒ５が前記各接触位置に移動した場合に、前記中間転写ベルトＢから離隔すると共に、前記第３リトラクトロールＲ３が前記第３離隔位置に移動した場合、または、前記第５リトラクトロールＲ５が前記第５離隔位置に移動した場合に、前記中間転写ベルトＢを裏面から支持する第２離間時接触位置に予め配置されている。
【００３６】
また、Ｇ〜Ｋの前記各１次転写ロールＴ１ｇ〜Ｔ１ｋの矢印Ｙａ方向下流側には、前記中間転写ベルトＢ裏面の電荷を除電する除電部材の一例としての平板状の除電板金ＪＢが配置されている。なお、実施例１の前記除電板金ＪＢは、前記中間転写ロールＢとは非接触で配置されており、例えば、前記中間転写ロールＢの裏面から２ｍｍ離れた位置に配置できる。
前記各ロールＲｄ，Ｒｔ，Ｒｗ，Ｒｆ，Ｔ２ａ，Ｒ１〜Ｒ５により、前記中間転写ベルトＢを裏面から回転可能に支持する中間転写体支持部材の一例としてのベルト支持ロールＲｄ，Ｒｔ，Ｒｗ，Ｒｆ，Ｔ２ａ，Ｒ１〜Ｒ５が構成されている。
また、前記中間転写ベルトＢ、前記ベルト支持ロールＲｄ，Ｒｔ，Ｒｔ２，Ｒｔ３，Ｒｔａ，Ｒｔｂ，Ｒｗ，Ｒｆ，Ｔ２ａ，Ｒ１〜Ｒ５、前記各１次転写ロールＴ１ｇ〜Ｔ１ｋ、前記除電板金ＪＢ等により、実施例１の前記ベルトモジュールＢＭが構成されている。
【００３７】
また、前記バックアップロールＴ２ａの下方には２次転写ユニットＵｔが配置されている。２次転写ユニットＵｔの２次転写部材の一例としての２次転写ロールＴ２ｂは、前記中間転写ベルトＢを挟んでバックアップロールＴ２ａに離隔および接触可能に配置されており、前記２次転写ロールＴ２ｂが中間転写ベルトＢと圧接する領域により２次転写領域Ｑ４が形成されている。また、前記バックアップロールＴ２ａには電圧印加用接触部材の一例としてのコンタクトロールＴ２ｃが当接しており、前記各ロールＴ２ａ〜Ｔ２ｃにより最終転写部材の一例としての２次転写器Ｔ２が構成されている。
前記コンタクトロールＴ２cには制御部Ｃにより制御される電源回路から予め設定されたタイミングでトナーの帯電極性と同極性の２次転写電圧が印加される。
【００３８】
前記ベルトモジュールＢＭ下方には用紙搬送路ＳＨ２が配置されている。前記給紙装置Ｕ２の給紙路ＳＨ１から給紙された記録用紙Ｓは、媒体搬送部材の一例としての搬送ロールＲａにより、前記用紙搬送路ＳＨ２に搬送され、給紙時期調節部材の一例としてのレジロールＲｒにより、トナー像が２次転写領域Ｑ４に搬送されるのに時期を合わせて、媒体案内部材ＳＧｒ、転写前媒体案内部材ＳＧ１を通って２次転写領域Ｑ４に搬送される。
なお、前記媒体案内部材ＳＧｒはレジロールＲｒとともに、前記画像形成装置本体Ｕ３に固定支持されている。
前記中間転写ベルトＢ上のトナー像は、前記２次転写領域Ｑ４を通過する際に前記２次転写器Ｔ２により前記記録用紙Ｓに転写される。なお、フルカラー画像の場合は中間転写ベルトＢ表面に重ねて１次転写されたトナー像が一括して記録用紙Ｓに２次転写される。
【００３９】
２次転写後の前記中間転写ベルトＢは、中間転写体清掃器の一例としてのベルトクリーナＣＬＢにより清掃、すなわち、クリーニングされる。なお、前記２次転写ロールＴ２ｂおよびベルトクリーナＣＬＢは、中間転写ベルトＢと離隔および接触可能に支持されている。
前記ベルトモジュールＢＭ、前記２次転写器Ｔ２、前記ベルトクリーナＣＬＢ等により、感光体ドラムＰｙ〜Ｐｏ表面の画像を記録用紙Ｓに転写する転写装置ＴＳが構成されている。
【００４０】
トナー像が２次転写された前記記録用紙Ｓは、転写後媒体案内部材ＳＧ２、定着前媒体搬送部材の一例としての用紙搬送ベルトＢＨを通って定着装置Ｆに搬送される。前記定着装置Ｆは、加熱定着部材の一例としての加熱ロールＦｈと、加圧定着部材の一例としての加圧ロールＦｐとを有し、加熱ロールＦｈと加圧ロールＦｐとが圧接する領域により定着領域Ｑ５が形成されている。
前記記録用紙Ｓ上のトナー像は定着領域Ｑ５を通過する際に定着装置Ｆにより加熱定着される。前記定着装置Ｆの下流側には搬送路切替部材ＧＴ１が設けられている。前記搬送路切替部材ＧＴ１は用紙搬送路ＳＨ２を搬送されて定着領域Ｑ５で加熱定着された記録用紙Ｓを、用紙処理装置Ｕ４の用紙排出路ＳＨ３または用紙反転路ＳＨ４側のいずれかに選択的に切り替える。前記用紙排出路ＳＨ３に搬送された記録用紙Ｓは、用紙処理装置Ｕ４の用紙搬送路ＳＨ５に搬送される。
【００４１】
用紙搬送路ＳＨ５の途中には、カール補正装置Ｕ４ａが配置されており、前記用紙搬送路ＳＨ５には搬送路切替部材の一例としての切替ゲートＧ４が配置されている。前記切替ゲートＧ４は、前記画像形成装置本体Ｕ３の用紙搬送路ＳＨ３から搬送された記録用紙Ｓを、湾曲、いわゆる、カールの方向に応じて、第１カール補正部材ｈ１または第２カール補正部材ｈ２のいずれかの側に搬送する。前記第１カール補正部材ｈ１または第２カール補正部材ｈ２に搬送された記録用紙Ｓは、通過時にカールが補正される。カールが補正された記録用紙Ｓは、排出部材の一例としての排出ロールＲｈから用紙処理装置Ｕ４の排出部の一例としての排出トレイＴＨ１に用紙の画像定着面が上向きの状態、いわゆる、フェイスアップ状態で排出される。
【００４２】
前記搬送路切替部材ＧＴ１により画像形成装置本体Ｕ３の前記用紙反転路ＳＨ４側に搬送された記録用紙Ｓは、弾性薄膜状部材により構成された搬送方向規制部材、いわゆる、マイラーゲートＧＴ２を押しのける形で通過して、画像形成装置本体Ｕ３の前記用紙反転路ＳＨ４に搬送される。
前記画像形成装置本体Ｕ３の用紙反転路ＳＨ４の下流端には、用紙循環路ＳＨ６および用紙反転路ＳＨ７が接続されており、その接続部にもマイラーゲートＧＴ３が配置されている。前記切替ゲートＧＴ１を通って用紙搬送路ＳＨ４に搬送された記録用紙Ｓは、前記マイラーゲートＧＴ３を通過して前記用紙処理装置Ｕ４の用紙反転路ＳＨ７側に搬送される。両面印刷を行う場合には、用紙反転路ＳＨ４を搬送されてきた記録用紙Ｓは、前記マイラーゲートＧＴ３をそのまま一旦通過して、用紙反転路ＳＨ７に搬送された後、逆方向に搬送、いわゆる、スイッチバックさせられると、前記マイラーゲートＧＴ３により搬送方向が規制され、スイッチバックした記録用紙Ｓが用紙循環路ＳＨ６側に搬送される。前記用紙循環路ＳＨ６に搬送された記録用紙Ｓは前記給紙路ＳＨ１を通って前記転写領域Ｑ４に再送される。
【００４３】
一方、用紙反転路ＳＨ４を搬送される記録用紙Ｓを、記録用紙Ｓの後端がマイラーゲートＧＴ２を通過後、マイラーゲートＧＴ３を通過する前に、スイッチバックすると、マイラーゲートＧＴ２により記録用紙Ｓの搬送方向が規制され、記録用紙Ｓは表裏が反転された状態で用紙搬送路ＳＨ５に搬送される。表裏が反転された記録用紙Ｓは、カール補正部材Ｕ４ａによりカールが補正された後、前記用紙処理装置Ｕ４の用紙排出トレイＴＨ１に、記録用紙Ｓの画像定着面が下向きの状態、いわゆる、フェイスダウン状態で排出することができる。
前記符号ＳＨ１〜ＳＨ７で示された要素により用紙搬送路ＳＨが構成されている。また、前記符号ＳＨ，Ｒａ，Ｒｒ，Ｒｈ，ＳＧｒ，ＳＧ１，ＳＧ２，ＢＨ，ＧＴ１〜ＧＴ３で示された要素により媒体搬送装置ＳＵが構成されている。
【００４４】
（リンクＬＮ１〜ＬＮ４の説明）
図３は本発明の実施例１の第１リンクの要部拡大説明図であり、図３Ａは第１リトラクトロールが第１接触位置に移動した場合の第１リンクの状態説明図であり、図３Ｂは第１リトラクトロールが離隔位置に移動した場合の第１リンクの状態説明図である。
図３において、実施例１の前記第１リトラクトロールＲ１の回転軸１は、前記ベルトモジュールＢＭの前後両端に配置された図示しない枠体に形成された接離方向に延びる第１案内溝２を貫通した状態で回転可能に支持されている。すなわち、実施例１の前記第１リトラクトロールＲ１は、前記回転軸１が前記第１案内溝２に案内されることにより、接離方向に移動可能に支持されている。
【００４５】
また、前記Ｇ色の１次転写ロールＴ１ｇの回転軸３は、前記ベルトモジュールＢＭの枠体に支持された接離方向に延びる押圧部材４により支持されている。実施例１の前記押圧部材４は、前記枠体に支持された台座部４ａを有する。前記台座部４ａの内部には、接離方向に延びる弾性体収容空間４ｂが形成されている。また、前記台座部４ａの前記中間転写ベルトＢ側には、前記回転軸３を回転可能に支持する軸受部４ｃが配置されており、前記軸受部４ｃの下面には、前記弾性体収容空間４ｂ内に延びる弾性体貫通支持部４ｄが形成されている。また、前記台座部４ａと前記軸受部４ｃとの間には、弾性体の一例としての押圧バネ４ｅが、前記台座部４ａの弾性体収容空間４ｂに収容され且つ前記軸受部４ｃの弾性体貫通支持部４ｄに貫通された状態で装着されている。すなわち、実施例１の前記Ｇ色の１次転写ロールＴ１ｇは、前記弾性体収容空間４ｂおよび前記弾性体貫通支持部４ｄに沿って伸縮可能な前記押圧バネ４ｅにより、前記中間転写ベルトＢ側に付勢された状態で接離方向に移動可能に支持されている。
【００４６】
また、前記除電板金ＪＢの矢印Ｙａ方向両端部には、前記除電板金ＪＢの前後両端部から外方に突出した突起部６，７が形成されており、前記突起部６，７は、前記ベルトモジュールＢＭの枠体に形成された接離方向に延びる第２案内溝８および第３案内溝９をそれぞれ貫通した状態で支持されている。すなわち、実施例１の前記除電板金ＪＢは、前記突起部６，７が前記各案内溝８，９に案内されることにより、接離方向に移動可能に支持されている。
【００４７】
また、前記第１リトラクトロールＲ１、前記Ｇ色の１次転写ロールＴ１ｇ、前記除電板金ＪＢの下方には、前記第１リトラクトロールＲ１の矢印Ｙａ方向上流側から前記除電板金ＪＢの矢印Ｙａ方向下流側まで延びて、矢印Ｙａ方向に移動可能な連動部材本体の一例としてのリンク本体１１が配置されている。実施例１の前記リンク本体１１の矢印Ｙａ方向上流端には、前記中間転写ベルトＢ側に延びる第１被係合部１１ａが形成されている。また、前記リンク本体１１は、前記第１リトラクトロールＲ１の矢印Ｙａ方向下流側且つ前記Ｇ色の１次転写ロールＴ１ｇの矢印Ｙａ方向上流側と対応する位置に、前記中間転写ベルトＢ側に延びる第２被係合部１１ｂが前記第１被係合部１１ａと並行して形成されている。また、前記リンク本体１１は、前記Ｇ色の１次転写ロールＴ１ｇの矢印Ｙａ方向下流側および前記除電板金ＪＢの矢印Ｙａ方向下流側と対応する位置に、第１連結軸１１ｃおよび第２連結軸１１ｄとが形成されており、前記各連結軸１１ｃ，１１ｄには、前記中間転写ベルトＢ側に延びる第１腕部および第２腕部の一例としての第１連動アーム１２および第２連動アーム１３が回転可能に支持されている。
【００４８】
実施例１の前記各連動アーム１２，１３の中央部は、前記ベルトモジュールＢＭの枠体に支持された第１回転軸１２ａおよび第２回転軸１３ａにより回転可能に支持されている。また、前記第１連動アーム１２の上端部には、矢印Ｙａ方向上流側に延びて前記回転軸３に上側から接触する第１接触部１２ｂが形成されている。また、前記第２連動アーム１３の下端部には、矢印Ｙａ方向上流側に延びて前記除電板金ＪＢに下側から接触する第２接触部１３ｂが形成されている。
また、前記各被係合部１１ａ，１１ｂどうしの間には、偏心回転部材の一例としての偏心カム１４が配置されている。実施例１の前記偏心カム１４は、断面円板状に形成されており、前記偏心カム１４の回転中心１４ａは、前記ベルトモジュールＢＭの枠体に回転可能に支持されている。
【００４９】
また、前記偏心カム１４の外周面には、前記回転中心１４ａから最も離れた端点である第１端点１４ｂと、前記第１端点１４ｂから偏心回転部材回転方向の一例としての矢印Ｙｂ方向上流側に９０°離れた端点である第２端点１４ｃと、前記第１端点１４ｂから矢印Ｙｂ方向上流側に１８０°離れ、且つ、前記回転中心１４ａから最も近い端点である第３端点１４ｄとが予め設定されている。
ここで、実施例１では、図３Ａに示すように、前記第１リトラクトロールＲ１の下端部が、前記偏心カム１４の第１端点１４ｂに接触した状態で支持されている場合に、前記第１リトラクトロールＲ１を、前記中間転写ベルトＢが前記感光体ドラムＰｇに接触する前記第１接触位置に移動させるように予め設定されている。
なお、この場合、前記リンク本体１１の第１被係合部１１ａが、前記偏心カム１４の矢印Ｙａ方向上流端部に配置された前記第２端点１４ｃで、前記偏心カム１４に係合された状態で支持されている。
【００５０】
また、図３Ａに示す状態から、前記偏心カム１４を矢印Ｙｂ方向に回転させた場合、前記第１リトラクトロールＲ１の下端部を支持する端点が移動し、図３Ｂに示すように、前記偏心カム１４の第２端点１４ｃ近傍に接触した状態で支持された状態になる。この場合、前記第１リトラクトロールＲ１を、前記中間転写ベルトＢが張力や自重により前記感光体ドラムＰｇから離隔する離隔位置に移動させるように予め設定されている。また、このとき、前記リンク本体１１の第２被係合部１１ｂが、前記偏心カム１４の外周面に押圧されて、矢印Ｙａ方向下流側に移動する。
【００５１】
前記各連結軸１１ｃ，１１ｄの矢印Ｙａ方向下流側への移動に伴って、前記各連動アーム１２，１３は、前記各回転軸１２ａ，１３ａを回転中心として、矢印Ｙｂ方向の逆方向である矢印Ｙｃ方向に回転する。したがって、図３Ｂに示すように、前記各接触部１２ｂ，１３ｂが前記リンク本体１１側に回転移動する。このため、前記Ｇ色の１次転写ロールＴ１ｇが、前記第１接触部１２ｂに上側から押圧され、前記押圧バネ４ｅの押圧力に抗して前記リンク本体１１側に移動する。また、前記除電板金ＪＢも、前記第２接触部１３ｂにより下面が前記案内溝８，９の上端部で支持された状態から自重で前記リンク本体１１側に移動する。
よって、前記第１リトラクトロールＲ１、前記Ｇ色の１次転写ロールＴ１ｇおよび前記除電板金ＪＢが連動して、前記感光体ドラムＰｇから離れる方向に移動し、前記中間転写ベルトＢが前記感光体ドラムＰｇから離れる。なお、実施例１では、前記第１リトラクトロールＲ１、前記Ｇ色の１次転写ロールＴ１ｇおよび前記除電板金ＪＢについても、前記中間転写ベルトＢから離れるように予め設定されている。
【００５２】
また、図３Ｂに示す状態から、前記偏心カム１４を矢印Ｙｃ方向に回転させた場合、すなわち、逆回転させた場合、前記第１リトラクトロールＲ１の下端部を支持する端点が移動し、図３Ａに示すように、前記偏心カム１４の第１端点１４ｂ近傍に接触した状態で支持された状態に戻る。この場合、前記第１リトラクトロールＲ１が、前記第１接触位置に戻り、前記中間転写ベルトＢに接触して持ち上げる。また、このとき、前記偏心カム１４の回転に伴って、前記リンク本体１１の第１被係合部１１ａが、前記偏心カム１４の外周面に押圧されて、矢印Ｙａ方向上流側に移動する。
【００５３】
前記各連結軸１１ｃ，１１ｄの矢印Ｙａ方向上流側への移動に伴って、前記各連動アーム１２，１３は、前記各回転軸１２ａ，１３ａを回転中心として、矢印Ｙｃ方向の逆方向である矢印Ｙｂ方向に回転する。したがって、図３Ａに示すように、前記各接触部１２ｂ，１３ｂが前記中間転写ベルトＢ側に回転移動する。このため、前記Ｇ色の１次転写ロールＴ１ｇが、前記第１接触部１２ｂの押圧が解放されて、前記押圧バネ４ｅの押圧力により前記中間転写ベルトＢ側に移動し、前記中間転写ベルトＢを前記感光体ドラムＰｇに押し当てる。また、前記除電板金ＪＢも、前記第２接触部１３ｂにより下面が上方に持ち上げられる。
前記リンク本体１１、前記各連動アーム１２，１３、前記偏心カム１４等により、前記第１リトラクトロールＲ１の前記第１接触位置と前記第１離隔位置との間の移動に応じた前記中間転写ベルトＢの移動と、前記Ｇ色の１次転写ロールＴ１ｇおよび前記除電板金ＪＢの移動とを連動させる連動部材の一例としての第１リンクＬＮ１が構成されている。
なお、実施例１の前記第１リンクＬＮ１では、前記第１リトラクトロールＲ１や前記Ｇ色の１次転写ロールＴ１ｇ等による前記中間転写ベルトＢの移動量と、前記除電板金ＪＢの移動量とが同一になるように予め設定されている。
【００５４】
また、前記第２リトラクトロールＲ２と、前記第２リトラクトロールＲ２の矢印Ｙａ方向上流側に配置された前記Ｏ色の１次転写ロールＴ１ｏおよび前記除電板金ＪＢとの間には、前記第１リンクＬＮ１と同様に構成された前記連動部材の一例としての第２リンクＬＮ２が配置されている。また、前記第３リトラクトロールＲ３と、前記第３リトラクトロールＲ３の矢印Ｙａ方向下流側に配置された前記ＹＭＣ色の１次転写ロールＴ１ｙ〜Ｔ１ｃと、前記除電板金ＪＢとの間には、前記各リンクＬＮ１，ＬＮ２と同様に構成された前記連動部材の一例としての第３リンクＬＮ３が配置されている。
【００５５】
さらに、前記第４リトラクトロールＲ４と、前記第４リトラクトロールＲ４の矢印Ｙａ方向上流側に配置された前記Ｋ色の１次転写ロールＴ１ｋおよび前記除電板金ＪＢとの間には、前記各リンクＬＮ１〜ＬＮ３と同様に構成された前記連動部材の一例としての第４リンクＬＮ４が配置されている。
なお、前記第１リンクＬＮ１とその他の前記各リンクＬＮ２〜ＬＮ４とについては、同様の構成であるため、前記各リンクＬＮ２〜ＬＮ４に関する詳細な説明を省略する。
【００５６】
（実施例１の制御部Ｃの説明）
図４は本発明の実施例１の画像形成装置の制御部が備えている各機能をブロック図で示した図である。
図４において、前記制御部Ｃと、前記クライアントパソコンＰＣのコンピュータ本体Ｈ１の制御部とは、外部との信号の入出力および入出力信号レベルの調節等を行う入出力信号調節部の一例としての入出力インターフェース、いわゆる、Ｉ／Ｏ、必要な処理を実行するためのプログラムおよびデータ等が記憶されたリードオンリーメモリ、いわゆる、ＲＯＭ、必要なデータを一時的に記憶するためのランダムアクセスメモリ、いわゆる、ＲＡＭ、前記ＲＯＭに記憶されたプログラムに応じた処理を行う中央演算処理装置、いわゆる、ＣＰＵ、ならびにクロック発振器等を有する計算機の一例としてのコンピュータにより構成されており、前記ＲＯＭに記憶されたプログラムを実行することにより種々の機能を実現することができる。
【００５７】
（クライアントパソコンＰＣのコンピュータ本体Ｈ１の制御部の説明）
前記クライアントパソコンＰＣのハードディスクドライブには、前記クライアントパソコンＰＣの基本動作を制御する基本ソフト、いわゆる、オペレーティングシステムＯＳや、アプリケーションプログラムとしての画像形成情報送信プログラムＡＰ１その他の図示しないソフトウェアが記憶されている。
【００５８】
（画像形成情報送信プログラムＡＰ１）
図５は本発明の実施例１の画像形成色設定画像の説明図である。
前記クライアントパソコンＰＣの制御部は、次の機能実現手段を有している。
Ｃ１０１：画像形成色設定手段
画像形成色設定手段Ｃ１０１は、図５に示すように、使用者に画像形成動作時、いわゆる、ジョブ実行時に使用する画像形成色を設定させる画像形成色設定画像１０１をディスプレイＨ２に表示する画像形成色設定画像表示手段Ｃ１０１aを有し、前記画像形成色を設定する。
【００５９】
図５において、実施例１の前記画像形成色設定画像１０１には、「ＧＯＹＭＣＫ」の全６色を使用する場合、「ＧＹＭＣＫ」，「ＯＹＭＣＫ」の５色を使用する場合、「ＹＭＣＫ」，「ＧＹＭＣ」，「ＯＹＭＣ」の４色を使用する場合、「ＹＭＣ」の３色を使用する場合、「ＧＯ」，「ＧＫ」，「ＯＫ」の２色を使用する場合、「Ｇ」，「Ｏ」，「Ｋ」の１色を使用する場合、「なし」、すなわち、１色も使用しない場合、の全１４パターンが表示されている。なお、１色も使用しない場合とは、例えば、前記中間転写ベルトＢを張架する前記各ロールＲｄ，Ｒｔ，Ｒｔ２，Ｒｔ３，Ｒｔａ，Ｒｔｂ，Ｒｗ，Ｒｆ，Ｔ２ａ，Ｒ１〜Ｒ５，Ｔ１ｇ〜Ｔ１ｋ，Ｔ２ａの搬送抵抗の変化等に基づく、ＭＱ：モーションクオリティの悪化、いわゆる、速度ムラを低減するための前記中間転写ベルトＢの初期化設定、いわゆる、イニシャライズ設定や、清掃動作、いわゆる、クリーニング動作等のための場合である。
また、前記画像形成色設定画像１０１は、前記全１４パターンに対応する画像形成色選択釦の一例としての１４個のチェックボックス１０１ａを有する。よって、実施例１の前記画像形成色設定画像１０１では、前記チェックボックス１０１ａにより、使用者が前記全１４パターンの画像形成色からいずれか１つだけを選択可能になっている。
【００６０】
Ｃ１０２：画像形成色設定情報記憶手段
画像形成色設定情報記憶手段Ｃ１０２は、前記画像形成色設定手段Ｃ１０１により設定された前記画像形成色を前記画像形成色設定情報として記憶する。実施例１の前記画像形成色設定情報記憶手段Ｃ１０２は、前記画像形成色設定画像１０１のチェックボックス１０１ａにより選択された、「ＧＯＹＭＣＫ」，「ＧＹＭＣＫ」，「ＯＹＭＣＫ」，「ＹＭＣＫ」，「ＧＹＭＣ」，「ＯＹＭＣ」，「ＹＭＣ」，「ＧＯ」，「ＧＫ」，「ＯＫ」，「Ｇ」，「Ｏ」，「Ｋ」，「なし」のいずれかを前記画像形成色設定情報として記憶する。
Ｃ１０３：画像情報色分解手段
画像情報色分解手段Ｃ１０３は、前記画像形成色設定情報記憶手段Ｃ１０２に記憶された前記画像形成色設定情報に基づいて、ジョブ実行の対象となる前記画像情報を色分解する。実施例１の前記画像情報色分解手段Ｃ１０３は、前記画像形成色設定情報に特別色であるＧ：グリーンおよびＯ：オレンジが含まれる場合には、他のＹＭＣＫのトナー使用量が最小となるように前記画像情報を色分解する。
【００６１】
Ｃ１０４：画像形成情報送信手段
画像形成情報送信手段Ｃ１０４は、前記画像形成色設定情報記憶手段Ｃ１０２に記憶された前記画像形成色設定情報と、前記画像情報色分解手段Ｃ１０３により色分解された前記画像情報とを含む画像形成情報を、画像形成装置Ｕに送信する。
【００６２】
（制御部Ｃに接続された信号出力要素）
また、前記制御部Ｃには、次の信号出力要素ＵＩ等の出力信号が入力されている。
ＵＩ：ユーザインタフェース
ユーザインタフェースＵＩは、前記コピースタートキー、前記コピー枚数設定キー、前記テンキー、前記表示器ＵＩ１等への入力を検出して、その検出信号を制御部Ｃに入力する。
【００６３】
（制御部Ｃに接続された被制御要素）
制御部Ｃは、次の被制御要素Ｄ１，Ｅの制御信号を出力している。
Ｄ１：メインモータ駆動回路
主駆動源駆動回路の一例としてのメインモータ駆動回路Ｄ１は、主駆動源の一例としてのメインモータＭ１を駆動することにより、駆動力伝達部材の一例としてのギヤを介して各感光体ドラムＰｇ〜Ｐｋ、各現像器ＧＧ〜ＧＫの現像ロールＲ０、定着装置Ｆの加熱ロールＦｈ、搬送ロールＲａ、ベルトモジュールＢＭのベルト駆動ロールＲｄ等を回転駆動させる。
【００６４】
Ｅ：電源回路
電源回路Ｅは、現像用電源回路Ｅ１、帯電用電源回路Ｅ２、転写ロール用電源回路Ｅ３と加熱ロール用電源回路Ｅ４とを有している。
Ｅ１：現像用電源回路
現像用電源回路Ｅ１は、各現像器ＧＧ〜ＧＫの現像ロールＲ０に現像電圧を印加する。
Ｅ２：帯電用電源回路
帯電用電源回路Ｅ２は、各帯電器ＣＣｇ〜ＣＣｋに帯電電圧を印加する。
Ｅ３：転写ロール用電源回路
転写ロール用電源回路Ｅ３は、各１次転写ロールＴ１ｇ〜Ｔ１ｋおよび２次転写器Ｔ２のコンタクトロールＴ２cに各転写電圧を印加する。
Ｅ４：加熱ロール用電源回路
加熱ロール用電源回路Ｅ４は、定着装置Ｆの加熱ロールＦｈの加熱部材の一例としてのヒータに加熱用の電力を印加する。
【００６５】
（制御部Ｃの機能）
前記制御部Ｃは、各信号出力要素ＵＩの出力信号に応じて各被制御要素Ｄ１，Ｅの動作を制御するためのプログラムにより、次の機能実現手段を有している。
Ｃ１：ジョブ制御手段
画像形成動作制御手段の一例としてのジョブ制御手段Ｃ１は、コピースタートキーの入力に応じて、潜像形成装置ＲＯＳg〜ＲＯＳk、可視像形成部材（ＵＧ＋ＧＧ）〜（ＵＫ＋ＧＫ）、転写装置ＴＳ、定着装置Ｆ、媒体搬送装置ＳＵ等の動作を制御して、画像形成動作の一例としてのジョブを実行する。
Ｃ２：メインモータ駆動制御手段
主駆動源駆動制御手段の一例としてのメインモータ駆動制御手段Ｃ２は、メインモータ駆動回路Ｄ１を介してメインモータＭ１の回転を制御して、各感光体ドラムＰｇ〜Ｐｋ、各現像器ＧＧ〜ＧＫの現像ロールＲ０、定着装置Ｆの加熱ロールＦｈ、搬送ロールＲａ、ベルト駆動ロールＲｄ等の回転駆動を制御する。
Ｃ３：電源回路制御手段
電源回路制御手段Ｃ３は、電源回路Ｅの作動を制御して、現像ロールＲ０、帯電器ＣＣｇ〜ＣＣｋ、各転写ロールＴ１ｇ〜Ｔ１ｋ，Ｔ２c、定着装置Ｆの加熱ロールＦｈのヒータ等への電圧、電流の供給を制御する。
【００６６】
Ｃ４：中間転写ベルト姿勢制御手段
接離制御手段の一例であって、中間転写部材姿勢制御手段の一例としての中間転写ベルト姿勢制御手段Ｃ４は、前記画像形成情報受信手段Ｃ１０４により送信された前記画像形成情報を受信する画像形成情報受信手段Ｃ４Ａと、姿勢設定テーブル記憶手段Ｃ４Ｂと、姿勢選択手段Ｃ４Ｃと、特色側接離制御手段Ｃ４Ｄと、３色側接離制御手段Ｃ４Ｅと、黒色側接離制御手段Ｃ４Ｆと、第５接離制御手段Ｃ４Ｇとを有し、ジョブ実行時の前記中間転写ベルトＢの姿勢を制御する。
【００６７】
図６は本発明の実施例１の姿勢設定テーブルの説明図である。
Ｃ４Ｂ：姿勢設定テーブル記憶手段
姿勢設定情報記憶手段の一例としての姿勢設定テーブル記憶手段Ｃ４Ｂは、図６に示すように、前記画像形成色設定情報に対応する前記中間転写ベルトＢの姿勢を設定するための姿勢設定情報の一例としての姿勢設定テーブルＴＢを記憶する。
図６において、実施例１の前記姿勢設定テーブルＴＢには、前記画像形成色設定情報が「ＧＯＹＭＣＫ」の場合に対応して、全てのリトラクトロールＲ１〜Ｒ５を各接触位置に移動させる第１姿勢設定情報が予め記憶されている。また、前記姿勢設定テーブルＴＢには、前記画像形成色設定情報が「ＧＹＭＣＫ」の場合に対応して、各リトラクトロールＲ１，Ｒ３〜Ｒ５を各接触位置に移動させ且つ第２リトラクトロールＲ２を第２離隔位置に移動させる第２姿勢設定情報が予め記憶されている。また、前記姿勢設定テーブルＴＢには、前記画像形成色設定情報が「ＯＹＭＣＫ」の場合に対応して、各リトラクトロールＲ２〜Ｒ５を各接触位置に移動させ且つ第１リトラクトロールＲ１を第１離隔位置に移動させる第３姿勢設定情報が予め記憶されている。
【００６８】
また、前記姿勢設定テーブルＴＢには、前記画像形成色設定情報が「ＹＭＣＫ」の場合に対応して、各リトラクトロールＲ３〜Ｒ５を各接触位置に移動させ且つ各リトラクトロールＲ１，Ｒ２を各離隔位置に移動させる第４姿勢設定情報が予め記憶されている。また、前記姿勢設定テーブルＴＢには、前記画像形成色設定情報が「ＧＹＭＣ」の場合に対応して、各リトラクトロールＲ１，Ｒ３，Ｒ４を各接触位置に移動させ且つ各リトラクトロールＲ２，Ｒ５を各離隔位置に移動させる第５姿勢設定情報が予め記憶されている。また、前記姿勢設定テーブルＴＢには、前記画像形成色設定情報が「ＯＹＭＣ」の場合に対応して、各リトラクトロールＲ２〜Ｒ４を各接触位置に移動させ且つ各リトラクトロールＲ１，Ｒ５を各離隔位置に移動させる第６姿勢設定情報が予め記憶されている。また、前記姿勢設定テーブルＴＢには、前記画像形成色設定情報が「ＹＭＣ」の場合に対応して、各リトラクトロールＲ３，Ｒ４を各接触位置に移動させ且つ各リトラクトロールＲ１，Ｒ２，Ｒ５を各離隔位置に移動させる第７姿勢設定情報が予め記憶されている。
【００６９】
また、前記姿勢設定テーブルＴＢには、前記画像形成色設定情報が「ＧＯ」の場合に対応して、各リトラクトロールＲ１，Ｒ２を各接触位置に移動させ且つ各リトラクトロールＲ３〜Ｒ５を各離隔位置に移動させる第８姿勢設定情報が予め記憶されている。
また、前記姿勢設定テーブルＴＢには、前記画像形成色設定情報が「ＧＫ」の場合に対応して、各リトラクトロールＲ１，Ｒ４，Ｒ５を各接触位置に移動させ且つ各リトラクトロールＲ２，Ｒ３を各離隔位置に移動させる第９姿勢設定情報が予め記憶されている。また、前記姿勢設定テーブルＴＢには、前記画像形成色設定情報が「ＯＫ」の場合に対応して、各リトラクトロールＲ２，Ｒ４，Ｒ５を各接触位置に移動させ且つ各リトラクトロールＲ１，Ｒ３を各離隔位置に移動させる第１０姿勢設定情報が予め記憶されている。
【００７０】
また、前記姿勢設定テーブルＴＢには、前記画像形成色設定情報が「Ｇ」の場合に対応して、第１リトラクトロールＲ１を第１接触位置に移動させ且つ各リトラクトロールＲ２〜Ｒ５を各離隔位置に移動させる第１１姿勢設定情報が予め記憶されている。また、前記姿勢設定テーブルＴＢには、前記画像形成色設定情報が「Ｏ」の場合に対応して、第２リトラクトロールＲ２を第２接触位置に移動させ且つ各リトラクトロールＲ１，Ｒ３〜Ｒ５を各離隔位置に移動させる第１２姿勢設定情報が予め記憶されている。また、前記姿勢設定テーブルＴＢには、前記画像形成色設定情報が「Ｋ」の場合に対応して、各リトラクトロールＲ４，Ｒ５を各接触位置に移動させ且つ各リトラクトロールＲ１〜Ｒ３を各離隔位置に移動させる第１３姿勢設定情報が予め記憶されている。さらに、前記姿勢設定テーブルＴＢには、前記画像形成色設定情報が「なし」の場合に対応して、全てのリトラクトロールＲ１〜Ｒ５を各離隔位置に移動させる第１４姿勢設定情報が予め記憶されている。
したがって、前記第１姿勢設定情報から第１４姿勢設定情報により、実施例１の前記姿勢設定情報が構成されている。
【００７１】
Ｃ４Ｃ：姿勢選択手段
姿勢選択手段Ｃ４Ｃは、前記画像形成情報受信手段Ｃ４Ａにより受信した画像形成情報に含まれる画像形成色設定情報と、前記姿勢設定テーブル記憶手段Ｃ４Ｂに記憶された前記姿勢設定テーブルＴＢとに基づいて、ジョブ実行時の前記中間転写ベルトＢの姿勢を選択する。実施例１の前記姿勢選択手段Ｃ４Ｃは、前記画像形成色設定情報に対応する、前記姿勢設定テーブルＴＢの各姿勢設定情報を選択することにより、ジョブ実行時の前記中間転写ベルトＢの姿勢を選択する。
Ｃ４Ｄ：特色側接離制御手段
特色側接離制御手段Ｃ４Ｄは、第１特色側接離制御手段Ｃ４D1と、第２特色側接離制御手段Ｃ４D2とを有し、特色のＧＯの前記各感光体ドラムＰｇ，Ｐｏと、前記中間転写ベルトＢとの接触・離隔を制御する。
【００７２】
Ｃ４D1：第１特色側接離制御手段
第１特色側接離制御手段Ｃ４D1は、前記緑色用感光体ドラムＰｇを使用する場合に、前記第１リトラクトロールＲ１を前記第１接触位置に移動させると共に、前記緑色用感光体ドラムＰｇを使用しない場合に、前記第１リトラクトロールＲ１を前記第１離隔位置に移動させる。
Ｃ４D2：第２特色側接離制御手段
第２特色側接離制御手段Ｃ４D2は、前記橙色用感光体ドラムＰｏを使用する場合に、前記第２リトラクトロールＲ２を前記第２接触位置に移動させると共に、前記橙色用感光体ドラムＰｏを使用しない場合に、前記第２リトラクトロールＲ２を前記第２離隔位置に移動させる。
【００７３】
Ｃ４Ｅ：３色側接離制御手段
３色側接離制御手段Ｃ４Ｅは、ＹＭＣの前記各感光体ドラムＰｙ〜Ｐｃを使用する場合に、前記第３リトラクトロールＲ３を前記第３接触位置に移動させると共に、前記各感光体ドラムＰｙ〜Ｐｃを使用しない場合に、前記第３リトラクトロールＲ３を前記第３離隔位置に移動させる。
Ｃ４Ｆ：黒色側接離制御手段
黒色側接離制御手段Ｃ４Ｆは、前記黒色用感光体ドラムＰｋを使用する場合に、前記第４リトラクトロールＲ４を前記第４接触位置に移動させると共に、前記黒色用像保持体を使用しない場合に、前記第４リトラクトロールＲ４を前記第４離隔位置に移動させる。
【００７４】
Ｃ４Ｇ：第５接離制御手段
第５接離制御手段Ｃ４Ｇは、ＹＭＣの前記各感光体ドラムＰｙ〜Ｐｃまたは前記黒色用感光体ドラムＰｋを使用する場合に、前記第５リトラクトロールＲ５を前記第５接触位置に移動させると共に、前記各感光体ドラムＰｙ〜Ｐｃおよび前記黒色用感光体ドラムＰｋを使用しない場合に、前記第５リトラクトロールＲ５を前記第５離隔位置に移動させる。
したがって、実施例１の前記中間転写ベルト姿勢制御手段Ｃ４は、前記姿勢選択手段Ｃ４Ｃにより選択された各姿勢設定情報に応じて、前記各リトラクトロールＲ１〜Ｒ５を各接触位置と各離隔位置との間で移動させることにより、ジョブ実行時の前記中間転写ベルトＢの姿勢を制御する。
なお、本発明の実施例１の画像形成装置Ｕの処理の流れについては、前記クライアントパソコンＰＣの画像形成情報送信プログラムＡＰ１から送信された前記画像形成情報を受信した場合に、前記画像形成色設定情報に対応する姿勢設定テーブルＴＢの各姿勢設定情報に応じて、前記各リトラクトロールＲ１〜Ｒ５を各接触位置と各離隔位置との間で移動させるだけであるため、フローチャートによる図示および詳細な説明を省略する。
【００７５】
（実施例１の作用）
前記構成を備えた本発明の実施例１の前記画像形成装置Ｕでは、画像形成動作、いわゆる、ジョブが実行される場合には、前記各現像器ＧＧ〜ＧＫの現像ロールＲ０に供給された各色のトナーにより、前記各感光体ドラムＰｇ〜Ｐｋ表面の静電潜像が現像される。前記各感光体ドラムＰｇ〜Ｐｋ表面上のトナー像は、前記各１次転写領域Ｑ３ｇ〜Ｑ３ｋにおいて、前記各１次転写ロールＴ１ｇ〜Ｔ１ｋにより、前記中間転写ベルトＢ上に順次重ねて１次転写されてカラー画像が形成される。そして、前記中間転写ベルトＢ上に形成されたカラー画像は、前記２次転写領域Ｑ４まで搬送され、前記２次転写器Ｔ２により、前記記録用紙Ｓに２次転写される。なお、実施例１の前記ベルトモジュールＢＭでは、前記各１次転写ロールＴ１ｇ〜Ｔ１ｋの矢印Ｙａ方向下流側に、前記除電部材の一例としての平板状の除電板金ＪＢが非接触で配置されており、前記中間転写ベルトＢの電荷が除電される。このため、１次転写ロールＴ１ｇ〜Ｔ１ｋ等の放電で局所的に帯電することにより、前記中間転写ベルトＢ上のトナー像が乱れたり、飛び散ったりすることが低減されている。
【００７６】
また、実施例１の前記画像形成装置Ｕでは、前記クライアントパソコンＰＣから送信された前記画像形成情報を受信した場合に、前記中間転写ベルトＢへの張力付与の状況を変化させ、前記中間転写ベルトＢの姿勢を変化させる。ここで、本願明細書において、「張力付与の状況の変化」とは、前記中間転写ベルトＢへ張力を付与している前記ベルト支持ロールＲｄ，Ｒｔ，Ｒｔ２，Ｒｔ３，Ｒｔａ，Ｒｔｂ，Ｒｗ，Ｒｆ，Ｔ２ａ，Ｒ１〜Ｒ５，Ｔ１ｇ〜Ｔ１ｋの位置が変化することや、付与している張力の大きさが変化することをいう。よって、前記各リトラクトロールＲ１〜Ｒ５が各接触位置から各離隔位置まで移動して、全く張力を付与しなくなる場合や、付与する張力が小さくなること等も含まれる。
具体的には、図５、図６に示すように、受信した前記画像形成情報に含まれる画像形成色設定情報に対応する姿勢設定テーブルＴＢの姿勢設定情報が選択され、選択された姿勢設定情報に応じて前記各リトラクトロールＲ１〜Ｒ５を各接触位置と各離隔位置との間で移動させることにより、前記中間転写ベルトＢの姿勢を変化させる。
例えば、前記画像形成色設定情報が「ＧＯＹＭＣＫ」の場合には、前記姿勢設定テーブルＴＢの第１姿勢設定情報が選択され、図２に示すように、全てのリトラクトロールＲ１〜Ｒ５が各接触位置に移動される。
【００７７】
図７は本発明の実施例１の作用説明図であり、実施例１の中間転写ベルトの姿勢変化の一例の拡大説明図であり、図２の状態からＧ色およびＯ色の感光体ドラムが中間転写ベルトから離間した状態の説明図である。
図８は本発明の実施例１の作用説明図であり、実施例１の中間転写ベルトの姿勢変化の一例の拡大説明図であり、図７の状態からＹ色、Ｍ色およびＣ色の感光体ドラムが中間転写ベルトから離間した状態の説明図である。
図９は本発明の実施例１の作用説明図であり、実施例１の中間転写ベルトの姿勢変化の一例の拡大説明図であり、図２の状態からＹ色、Ｍ色、Ｃ色、Ｋ色の感光体ドラムが中間転写ベルトから離間した状態の説明図である。
また、受信した前記画像形成情報に含まれる画像形成色設定情報が「ＹＭＣＫ」である場合には、前記姿勢設定テーブルＴＢの第４姿勢設定情報が選択され、図７に示すように、各リトラクトロールＲ１，Ｒ２が各離隔位置に移動される。また、前記画像形成色設定情報が「Ｋ」である場合には、前記姿勢設定テーブルＴＢの第１３姿勢設定情報が選択され、図８に示すように、各リトラクトロールＲ１〜Ｒ３が各離隔位置に移動される。さらに、受信した前記画像形成情報に含まれる画像形成色設定情報が「ＧＯ」である場合には、前記姿勢設定テーブルＴＢの第８姿勢設定情報が選択され、図９に示すように、各リトラクトロールＲ３〜Ｒ５が各離隔位置に移動される。
【００７８】
したがって、実施例１では、いわゆる、６色モード、４色モード、モノクロモード等が実行される場合に、使用されない各感光体ドラムＰｇ〜Ｐｋが、中間転写ベルトＢから離隔される。このため、実施例１の画像形成装置Ｕでは、前記各部材Ｐｇ〜Ｐｋ，Ｂの磨耗等の経時的な劣化が低減されている。特に、実施例１では、図５に示すように、１種類の６色モード、２種類の５色モード、３種類の４色モード、１種類の３色モード、３種類の２色モード、３種類の１色モード、１種類の０色モードの合計１４パターンが実行される。このため、実施例１の画像形成装置Ｕでは、全１４種類の各パターンに応じて前記中間転写ベルトＢが１４種類の姿勢に変化し、前記各部材Ｐｇ〜Ｐｋ，Ｂの磨耗等の経時的な劣化が効率良く低減されている。
【００７９】
なお、実施例１では、前記各リトラクトロールＲ１〜Ｒ５が各離隔位置に移動する場合には、前記各リトラクトロールＲ１〜Ｒ５が前記中間転写ベルトＢから離隔すると共に、
図４に示す前記各リンクＬＮ１〜ＬＮ４により、対応する前記各１次転写ロールＴ１ｇ〜Ｔ１ｋおよび前記各除電板金ＪＢも同時に離隔するようになっている。このため、実施例１の前記画像形成装置Ｕでは、前記中間転写ベルトＢの磨耗等の経時的な劣化がさらに低減されている。
また、図７〜図９に示すように、ＹＭＣの３個の３色用感光体ドラムＰｙ，Ｐｍ，Ｐｃを使用しない場合には、第３リトラクトロールＲ３を第３離隔位置に移動させることにより、前記３色用感光体ドラムＰｙ〜Ｐｃが同時に離隔される。よって、実施例１の前記画像形成装置Ｕでは、ＹＭＣの各感光体ドラムＰｙ〜Ｐｃを接触・離隔させる機構が共通化されており、部品点数の削減等が可能となっている。
【００８０】
また、実施例１では、図２に示すように、前記第３リトラクトロールＲ３から前記第４リトラクトロールＲ４までの前記中間転写ベルトＢの外表面に沿う第１線分Ｌ１が直線状になるように予め設定されている。すなわち、実施例１では、前記中間転写ベルトＢにおける１次転写の転写位置や転写時期等の精度、いわゆる、カラーレジの精度が特に要求される、ＹＭＣＫの各１次転写領域Ｑ３ｇ〜Ｑ３ｋが直線状になっている。
この結果、実施例１の前記画像形成装置Ｕでは、前記第１線分Ｌ１が直線状でない場合に比べ、カラーレジの精度を向上させることが可能となっており、高品質なカラー画像が形成され易くなっている。
また、実施例１では、ＹＭＣＫの各色の可視像形成部材（ＵＹ＋ＧＹ）〜（ＵＫ＋ＧＫ）を、水平方向に配置することが可能であるため、前記各可視像形成部材（ＵＹ＋ＧＹ）〜（ＵＫ＋ＧＫ）を全て同じ形状、同じ状態で配置することが可能になっている。このため、実施例１の前記画像形成装置Ｕでは、前記各可視像形成部材（ＵＹ＋ＧＹ）〜（ＵＫ＋ＧＫ）の部品を共通化することが可能となっており、画像形成装置Ｕ全体の製造コストを削減することが可能となっている。
【００８１】
なお、ＹＭＣＫほどカラーレジの精度が要求されないＧＯの特別色についても、図２に示す、前記第１線分と、前記第３中間転写体支持部材Ｒｔ３から前記第３リトラクトロールＲ３までの前記中間転写ベルトＢの外表面に沿う第２線分Ｌ２とのなす角度である前記第１角度αを可能な限り小さくし、可能な限り水平に延びる状態に近付けることにより、ＧＯの前記各可視像形成部材（ＵＧ＋ＧＧ），（ＵＯ＋ＧＯ）の部品についても共通化が可能となる。例えば、前記第１角度αを、１．６°以下とした場合には、ＧＯの各可視像形成部材（ＵＧ＋ＧＧ），（ＵＯ＋ＧＯ）についても、ＹＭＣＫの各可視像形成部材（ＵＹ＋ＧＹ）〜（ＵＫ＋ＧＫ）と全て同じ形状で構成して配置しても、前記中間転写ベルトＢＭに干渉せずに、前後方向に着脱可能となっている。
【００８２】
また、図２に示す前記各角度α，β，（α＋γ）を可能な限り小さくすることにより、前記中間転写ベルトＢの上下方向の高さを低くすることも可能になる。この場合、前記ベルトモジュールＢＭの下端から前記各可視像形成部材（ＵＧ＋ＧＧ）〜（ＵＫ＋ＧＫ）の上端までの上下方向の高さを低くすることも可能になり、前記画像形成装置Ｕ全体の高さを低くすることも可能になっている。
また、この場合、前記各リトラクトロールＲ１〜Ｒ５の各接触位置と各離隔位置との間の上下方向の長さを短く設定しても、前記各部材Ｒ１〜Ｒ５，Ｔ１ｇ〜Ｔ１ｋ，ＪＢを前記中間転写ベルトＢに接触させることなく、前記中間転写ベルトＢの姿勢を全１４パターンに変化させることが可能となり、姿勢変化自体が小さくなっている。
また、姿勢変化自体が小さくなると、姿勢変化の前後において、前記中間転写ベルトＢを張架する前記各張架ロール（Ｒｄ，Ｒｔ，Ｒｔ２，Ｒｔ３，Ｒｔａ，Ｒｔｂ，Ｒｗ，Ｒｆ，Ｔ２ａ，Ｒ１〜Ｒ５，Ｔ１ｇ〜Ｔ１ｋ，Ｔ２ａ）の変化によって変動する前記中間転写ベルトＢの蛇行量の変化が小さくなる。このため、実施例１の前記画像形成装置Ｕでは、姿勢変化によって蛇行が大きくなることを低減することが可能となる。
【００８３】
また、前記構成を備えた本発明の実施例１の前記画像形成装置Ｕでは、前記特色用感光体ドラムＰｇ，Ｐｏが、ＹＭＣＫの各感光体ドラムＰｙ〜ＰｋのＹａ方向上流側に配置されている。すなわち、Ｙａ方向上流端部には、前記特色用感光体ドラムＰｇ，Ｐｏが配置されており、Ｙａ方向下流端部には、前記黒色用感光体ドラムＰｋが配置されている。また、実施例１では、「Ｇ」，「Ｏ」，「Ｋ」の３種類の１色モード、すなわち、単色印刷、いわゆる、モノクロモードに対応しており、単色印刷のための基準色として、Ｇ：緑色、Ｏ：橙色、Ｋ：黒色の３色が設定されている。
したがって、実施例１の前記画像形成装置Ｕでは、２箇所以上に基準色用の感光体ドラムＰｇ，Ｐｏ，Ｐｋが配置され、且つ、各基準色の単色印刷が設定可能となっている。
【００８４】
なお、前記特色用の各可視像形成部材（ＵＧ＋ＧＧ），（ＵＯ＋ＧＯ）の各現像器ＧＧ，ＧＯには、Ｇ：グリーンおよびＯ：オレンジのトナー以外にも、任意のトナーを導入することも可能であり、例えば、無色のクリアトナー等を導入することも可能である。また、例えば、使用者の一例としての企業や団体等の組織を象徴する色、いわゆる、コーポレートカラーを導入することも可能である。よって、コーポレートカラーの画像を画像形成する場合には、ＹＭＣＫの４色カラーでコーポレートカラーの画像を画像形成した場合に比べ、色合いや発色が悪くなる等の画像不良が低減されている。
また、実施例１では、前記クライアントパソコンＰＣにおいて、前記画像形成色設定情報にＧＯが含まれる場合には、他のＹＭＣＫのトナー使用量が最小となるように前記画像情報が色分解されている。このため、例えば、ＧＯがコーポレートカラーであり、コーポレートカラーの画像が大量に画像形成される場合には、常にＹＭＣＫの４色カラーで印刷する場合に比べ、ＹＭＣＫの各トナー使用量が低減される。
【００８５】
また、実施例１では、前記中間転写ベルトＢを姿勢変化させて使用しない前記各感光体ドラムＰｇ〜Ｐｋから離隔させるために、固定された３個の各ロールＲｄ，Ｒｔ２，Ｒｔ３と、可動する５個の各ロールＲ１〜Ｒ５とが、図２、図７〜図９に示す各位置に予め配置されている。すなわち、実施例１では、Ｙａ方向に沿って、各線分Ｌ４：Ｒｄ，Ｒ１，Ｒｔ３，Ｌ２：Ｒｔ３，Ｒ２，Ｒ３，Ｌ１：Ｒ３，Ｒ５，Ｒ４，Ｌ３：Ｒ４，Ｒｔ２の順に、各ロールを配置し、且つ、第１線分Ｌ１に対して、各線分Ｌ４，Ｌ２，Ｌ３を、各角度（α＋γ），α，βだけ下方に傾斜させた状態で、前記各ロールＲｄ，Ｒｔ２，Ｒｔ３，Ｒ１〜Ｒ５が予め配置されている。このため、例えば、「ＧＹＭＣＫ」，「ＧＹＭＣ」，「ＧＫ」，「ＯＫ」に対応する各姿勢設定情報が選択された場合、すなわち、Ｙａ方向中央部に配置された各感光体ドラムＰｏ．Ｐｙ〜Ｐｃを使用しない、いわゆる、中抜けの状態に姿勢変化させる場合でも、各リトラクトロールＲ１〜Ｒ５を移動させるだけで、前記中間転写ベルトＢを前記各感光体ドラムＰｏ，Ｐｙ〜Ｐｃから離隔させることが可能となっている。
【００８６】
したがって、実施例１の前記画像形成装置Ｕは、図６に示す１４種類の姿勢設定情報により、図５に示す全１４パターンの色設定が実現可能な最小点数の部品Ｒｄ，Ｒ１，Ｒｔ３，Ｒ２，Ｒ３，Ｒ５，Ｒ４，Ｒｔ２および設定値Ｌ１〜Ｌ４，α，β，γで、前記ベルトモジュールＢＭが構成されている。この結果、実施例１の前記画像形成装置Ｕは、第１線分Ｌ１に対して、各線分Ｌ４，Ｌ２，Ｌ３を下方に傾斜させない場合に比べ、部品点数が削減されており、画像形成装置Ｕ全体の製造コストが削減されている。
【００８７】
また、実施例１では、図７に示すように、前記第２リトラクトロールＲ２が第２離隔位置に移動した場合には、前記第２リンクＬＮ２によって前記各部材Ｒ２，Ｔ１ｏ，ＪＢが前記中間転写ベルトＢから離隔すると共に、前記第１離間時接触位置に配置された前記第１離間時張架ロールＲｔａが前記中間転写ベルトＢに接触する。このため、実施例１の前記画像形成装置Ｕでは、前記第１離間時張架ロールＲｔａが配置されていない場合に比べ、前記中間転写ベルトＢが各張架ロールで支持されていない長さ、いわゆる、フリー長が、短くなっている。すなわち、図７に示すように、前記第１離間時張架ロールＲｔａがない場合のフリー長が、前記各張架ロールＲｔ３，Ｒ２間の長さＬ２となるのに対し、前記第１離間時張架ロールＲｔａがある場合のフリー長が、各張架ロールＲｔ３，Ｒｔａの長さＬ２ａと、各張架ロールＲｔａ，Ｒ２間の長さＬ２ｂとなり、短くなっている。
【００８８】
図１０は本発明の実施例１の作用説明図であり、中間転写ベルトに発生するテンションラインの拡大説明図である。
ここで、図１０に示すように、従来より、前記フリー長が長くなると、フリー長の両端の各張架ロールどうしの平行度が低い場合、すなわち、各張架ロールどうしの軸方向が平行からずれている場合に、前記中間転写ベルトＢの幅方向に沿って波状に湾曲し易く、各張架ロールが巻き付く手前で、前記中間転写ベルトＢと前記各感光体ドラムＰｇ〜Ｐｋとの間の隙間にバラツキを発生させる現象、いわゆる、前記テンションラインが発生し易くなっていた。
【００８９】
これに対し、実施例１の前記画像形成装置Ｕは、前記第１離間時張架ロールＲｔａが配置されていない場合に比べ、前記第２線分Ｌ２におけるフリー長Ｌ２ａ，Ｌ２ｂが短くなり、前記張架ロールどうしの間隔が長くなることにより発生するおそれがあるＹａ方向のしわ、いわゆる、テンションラインの発生が低減されている。この結果、実施例１の前記画像形成装置Ｕは、前記第１離間時張架ロールＲｔａが配置されていない場合に比べ、前記中間転写ベルトＢへの張力付与の状況の変化に伴って前記中間転写ベルトＢに生じるしわ、すなわち、テンションラインが抑制され、前記テンションラインの発生に伴う転写不良等の画像劣化が低減されている。
【００９０】
また、実施例１では、図８に示すように、前記各リトラクトロールＲ２，Ｒ３が各離隔位置に移動した場合には、前記各リンクＬＮ２，ＬＮ３によって前記各部材Ｒ２，Ｒ３，Ｔ１ｏ〜Ｔ１ｃ，ＪＢが中間転写ベルトＢから離隔すると共に、前記各離間時接触位置に配置された各離間時張架ロールＲｔａ，Ｒｔｂが中間転写ベルトＢに接触する。このため、図８に示すように、前記各離間時張架ロールＲｔａ，Ｒｔｂがない場合のフリー長が、各張架ロールＲｔ３，Ｒ４間の長さＬ５＝Ｌ１＋Ｌ２となるのに対し、前記各離間時張架ロールＲｔａ，Ｒｔｂがある場合のフリー長が、各張架ロールＲｔ３，Ｒｔａの長さＬ５ａ＝Ｌ２ａと、各張架ロールＲｔａ，Ｒｔｂ間の長さＬ５ｂと、各張架ロールＲｔｂ，Ｒ４間の長さＬ５ｃとなり、短くなっている。したがって、実施例１の前記画像形成装置Ｕは、前記各離間時張架ロールＲｔａ，Ｒｔｂが配置されていない場合に比べ、フリー長Ｌ５ａ〜Ｌ５ｃが分割されて短くなり、テンションラインの発生が低減されている。
【００９１】
また、実施例１では、図９に示すように、前記第２リトラクトロールＲ２が第２接触位置に移動し且つ前記各リトラクトロールＲ３〜Ｒ５が各離隔位置に移動した場合にも、前記各リンクＬＮ３〜ＬＮ４によって前記各部材Ｒ３〜Ｒ５，Ｔ１ｏ〜Ｔ１ｃ，ＪＢが中間転写ベルトＢから離隔すると共に、前記第２離間時接触位置に配置された第２離間時張架ロールＲｔｂが中間転写ベルトＢに接触する。このため、図９に示すように、前記２離間時張架ロールＲｔｂがない場合のフリー長が、各張架ロールＲ２，Ｒｔ２間の長さＬ６となるのに対し、前記第２離間時張架ロールＲｔｂがある場合のフリー長が、各張架ロールＲ２，Ｒｔｂの長さＬ６ａと、各張架ロールＲｔｂ，Ｒｔ２間の長さＬ６ｂとなり、短くなっている。したがって、実施例１の前記画像形成装置Ｕは、前記第２離間時張架ロールＲｔｂが配置されていない場合に比べ、フリー長Ｌ６ａ，Ｌ６ｂが分割されて短くなり、テンションラインの発生が低減されている。
【００９２】
この結果、実施例１の前記画像形成装置Ｕは、前記各離間時張架ロールＲｔａ，Ｒｔｂが配置されていない場合に比べ、前記中間転写ベルトＢへの張力付与の状況の変化に伴う前記テンションラインの発生が抑制され、前記テンションラインの発生に伴う転写不良等の画像劣化が低減されている。特に、前記第２離間時張架ロールＲｔｂがある場合には、前記第２離間時張架ロールＲｔｂのＹａ方向上流側およびＹａ方向下流側のフリー長が長くなることが低減され、Ｙａ方向上流側およびＹａ方向下流側におけるテンションライン発生に伴う前記画像劣化が低減される。
【実施例２】
【００９３】
次に、本発明の実施例２の説明をするが、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
【００９４】
図１１は実施例１の図２に対応する本発明の実施例２のベルトモジュールの要部拡大説明図である。
図１１において、実施例２の画像形成装置Ｕでは、実施例１の構成に対して、Ｏ：橙色についての潜像形成装置ＲＯＳo、可視像形成部材（ＵＯ＋ＧＯ）、１次転写ロールＴ１ｏ、１次転写領域Ｑ３ｏ、除電板金ＪＢや、前記第２リトラクトロールＲ２および前記第２リンクＬＮ２が省略されている。すなわち、実施例１では、最大で６色現像が可能な構成であるのに対し、実施例２では、最大で５色現像が可能な構成となっている。
また、実施例２では、実施例１の前記第３中間転写体支持部材Ｒｔ３が省略されており、実施例１の各離間時張架ロールＲｔａ，Ｒｔｂに替えて、第３張力付与部材の一例としての離間時張架ロールＲｔａ′が、紅紫色用感光体ドラムＰｍの下方に配置されている。実施例２の前記離間時張架ロールＲｔａ′は、図１１の破線に示すように、固定支持された駆動ロールＲｄと第５接触位置の第５リトラクトロールＲ５とを結ぶ第１の線分Ｌａと、第３接触位置の第３リトラクトロールＲ３と固定支持された第２中間転写体支持部材Ｒｔ２とを結ぶ第２の線分Ｌｂとの交点となる交点位置に予め配置されている。
【００９５】
（実施例２の制御部Ｃの説明）
図１２は実施例１の図４に対応する本発明の実施例２の画像形成装置の制御部が備えている各機能をブロック図で示した図である。
図１３は実施例１の図５に対応する本発明の実施例２の画像形成色設定画像の説明図である。
図１２において、実施例２のクライアントパソコンＰＣの画像形成情報送信プログラムＡＰ１は、画像形成色設定手段Ｃ１０１に替えて、画像形成色設定手段Ｃ１０１′を有する。
Ｃ１０１′：画像形成色設定手段
画像形成色設定手段Ｃ１０１′は、図１３に示す画像形成色設定画像１０１′をディスプレイＨ２に表示する画像形成色設定画像表示手段Ｃ１０１a′を有し、前記画像形成色を設定する。
【００９６】
図１３において、実施例２の前記画像形成色設定画像１０１′には、「ＧＹＭＣＫ」の全５色を使用する場合、「ＧＹＭＣ」，「ＹＭＣＫ」の４色を使用する場合、「ＹＭＣ」の３色を使用する場合、「ＧＫ」の２色を使用する場合、「Ｇ」，「Ｋ」の１色を使用する場合、「なし」、すなわち、１色も使用しない場合、の全８パターンが表示されている。また、前記画像形成色設定画像１０１′は、実施例１のチェックボックス１０１ａと同様に、前記全８パターンに対応する画像形成色選択釦の一例としての８個のチェックボックス１０１ａ′を有する。
【００９７】
図１４は実施例１の図６に対応する本発明の実施例２の姿勢設定テーブルの説明図である。
また、図１２において、実施例２の制御部Ｃは、前記姿勢設定テーブル記憶手段Ｃ４Ｂと姿勢選択手段Ｃ４Ｃとに替えて、姿勢設定テーブル記憶手段Ｃ４Ｂ′と姿勢選択手段Ｃ４Ｃ′とを有する。また、前記制御部Ｃでは、省略された第２リトラクトロールＲ２に対応する前記第２特色側接離制御手段Ｃ４D2が省略されている。
Ｃ４Ｂ′：姿勢設定テーブル記憶手段
姿勢設定情報記憶手段の一例としての姿勢設定テーブル記憶手段Ｃ４Ｂ′は、図１４に示す姿勢設定テーブルＴＢ′を記憶する。
【００９８】
図１４において、実施例２の前記姿勢設定テーブルＴＢ′には、前記画像形成色設定情報が「ＧＹＭＣＫ」の場合に対応して、全てのリトラクトロールＲ１〜Ｒ５を各接触位置に移動させる第１姿勢設定情報が予め記憶されている。また、前記姿勢設定テーブルＴＢ′には、前記画像形成色設定情報が「ＹＭＣＫ」の場合に対応して、各リトラクトロールＲ３〜Ｒ４を各接触位置に移動させ且つ第１リトラクトロールＲ１を第１離隔位置に移動させる第２姿勢設定情報が予め記憶されている。また、前記姿勢設定テーブルＴＢ′には、前記画像形成色設定情報が「ＧＹＭＣ」の場合に対応して、各リトラクトロールＲ１，Ｒ３，Ｒ４を各接触位置に移動させ且つ第５リトラクトロールＲ５を第５離隔位置に移動させる第３姿勢設定情報が予め記憶されている。
【００９９】
また、前記姿勢設定テーブルＴＢ′には、前記画像形成色設定情報が「ＹＭＣ」の場合に対応して、各リトラクトロールＲ３，Ｒ４を各接触位置に移動させ且つ各リトラクトロールＲ１，Ｒ５を各離隔位置に移動させる第４姿勢設定情報が予め記憶されている。また、前記姿勢設定テーブルＴＢ′には、前記画像形成色設定情報が「ＧＫ」の場合に対応して、各リトラクトロールＲ１，Ｒ４，Ｒ５を各接触位置に移動させ且つ第３リトラクトロールＲ３を第３離隔位置に移動させる第５姿勢設定情報が予め記憶されている。
また、前記姿勢設定テーブルＴＢ′には、前記画像形成色設定情報が「Ｋ」の場合に対応して、各リトラクトロールＲ４，Ｒ５を各接触位置に移動させ且つ各リトラクトロールＲ１，Ｒ３を各離隔位置に移動させる第６姿勢設定情報が予め記憶されている。また、前記姿勢設定テーブルＴＢ′には、前記画像形成色設定情報が「Ｇ」の場合に対応して、第１リトラクトロールＲ１を各接触位置に移動させ且つ各リトラクトロールＲ３〜Ｒ５を各離隔位置に移動させる第７姿勢設定情報が予め記憶されている。
【０１００】
さらに、前記姿勢設定テーブルＴＢ′には、前記画像形成色設定情報が「なし」の場合に対応して、全てのリトラクトロールＲ１〜Ｒ５を各離隔位置に移動させる第８姿勢設定情報が予め記憶されている。
したがって、前記第１姿勢設定情報から第８姿勢設定情報により、実施例２の前記姿勢設定情報が構成されている。
Ｃ４Ｃ′：姿勢選択手段
実施例２の姿勢選択手段Ｃ４Ｃ′は、画像形成情報受信手段Ｃ４Ａにより受信した画像形成情報に含まれる画像形成色設定情報に対応する、前記姿勢設定テーブル記憶手段Ｃ４Ｂ′に記憶された前記姿勢設定テーブルＴＢ′の各姿勢設定情報を選択することにより、ジョブ実行時の前記中間転写ベルトＢの姿勢を選択する。
【０１０１】
（実施例２の作用）
前記構成を備えた本発明の実施例２の前記画像形成装置Ｕでは、図１１に示すように、前記離間時張架ロールＲｔａ′が、前記各部材Ｒｄ，Ｒ５間の第１離間線分Ｌａと前記各部材Ｒ３，Ｒｔ２間の第２離間線分Ｌｂとの交点位置に配置されている。このため、実施例２の前記離間時張架ロールＲｔａ′は、前記第３リトラクトロールＲ３が第３接触位置に移動し且つ前記各リトラクトロールＲ４，Ｒ５が各離隔位置に移動した場合と、前記第５リトラクトロールＲ５が第５接触位置に移動し且つ前記各リトラクトロールＲ１，Ｒ３が各離隔位置に移動した場合とにおいて、確実に前記中間転写ベルトＢを張架することが可能となっている。すなわち、実施例２では、前記中間転写ベルトＢがＹａ方向上流側の下降により姿勢変化した場合と、前記中間転写ベルトＢがＹａ方向下流側の下降により姿勢変化した場合とのいずれについても、前記中間転写ベルトＢに前記交点位置の離間時張架ロールＲｔａ′が確実に接触可能となっている。
【０１０２】
ここで、例えば、前記離間時張架ロールＲｔａ′が交点位置よりもＹａ方向上流側に配置された場合には、前記中間転写ベルトＢがＹａ方向下流側の下降により姿勢変化した際の固定支持された各張架ロールＲｔａ′，Ｒｔ２どうしのフリー長が、前記中間転写ベルトＢがＹａ方向上流側の下降により姿勢変化した際の固定支持された各張架ロールＲｄ，Ｒｔａ′どうしのフリー長に比べ、長くなってしまう。逆に、例えば、前記離間時張架ロールＲｔａ′が交点位置よりもＹａ方向下流側に配置された場合には、前記中間転写ベルトＢがＹａ方向上流側の下降により姿勢変化した際の各張架ロールＲｄ，Ｒｔａ′どうしのフリー長が、前記中間転写ベルトＢがＹａ方向下流側の下降により姿勢変化した際の各張架ロールＲｔａ′，Ｒｔ２どうしのフリー長に比べ、長くなってしまう。
【０１０３】
これに対して、実施例２では、前記離間時張架ロールＲｔａ′が交点位置に配置されているため、前記中間転写ベルトＢがＹａ方向上流側の下降により姿勢変化した場合と、前記中間転写ベルトＢがＹａ方向下流側の下降により姿勢変化した場合とについて、交点位置に配置されていない場合に比べ、固定支持された各張架ロール（Ｒｄ，Ｒｔａ′），（Ｒｔａ′，Ｒｔ２）どうしの各フリー長が長くなり過ぎない。
したがって、実施例２の前記画像形成装置Ｕでは、前記中間転写ベルトＢがＹａ方向上流側の下降により姿勢変化した場合と、前記中間転写ベルトＢがＹａ方向下流側の下降により姿勢変化した場合のいずれかのみ、前記フリー長が長くなることが低減され、図１０に示す前記テンションラインの発生が低減されている。
【０１０４】
また、例えば、前記離間時張架ロールＲｔａ′が交点位置よりもＹａ方向上流側に配置された場合には、前記中間転写ベルトＢがＹａ方向上流側の下降により姿勢変化した場合、前記中間転写ベルトＢがＹａ方向下流側の下降により姿勢変化した場合に比べ、前記離間時張架ロールＲｔａ′が前記中間転写ベルトＢに付与する張力が大きくなる。逆に、例えば、前記離間時張架ロールＲｔａ′が交点位置よりもＹａ方向下流側に配置された場合には、前記中間転写ベルトＢがＹａ方向下流側の下降により姿勢変化した場合、前記中間転写ベルトＢがＹａ方向上流側の下降により姿勢変化した場合に比べ、前記離間時張架ロールＲｔａ′が前記中間転写ベルトＢに付与する張力が大きくなる。
【０１０５】
これに対して、実施例２では、前記離間時張架ロールＲｔａ′が交点位置に配置されているため、前記中間転写ベルトＢがＹａ方向上流側の下降により姿勢変化した場合と、前記中間転写ベルトＢがＹａ方向下流側の下降により姿勢変化した場合とについて、前記離間時張架ロールＲｔａ′が前記中間転写ベルトＢに付与する張力を均一にすることが可能となっている。
したがって、実施例２の前記画像形成装置Ｕでは、前記中間転写ベルトＢがＹａ方向上流側の下降により姿勢変化した場合と、前記中間転写ベルトＢがＹａ方向下流側の下降により姿勢変化した場合のいずれかのみ、前記離間時張架ロールＲｔａ′による張力が大きくなり、前記中間転写ベルトＢ全体の張力分布が偏ることが低減されている。
その他、最大で５色現像が可能な実施例２の前記画像形成装置Ｕは、最大で６色現像が可能な実施例１の前記画像形成装置Ｕと同様の作用効果を奏する。
【０１０６】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ013）を下記に例示する。
（Ｈ01）前記実施例において、前記画像形成装置Ｕは、いわゆる、複合機により構成したが、これに限定されず、例えば、プリンタ、ＦＡＸ等により構成することも可能である。
（Ｈ02）前記実施例において、前記画像形成装置Ｕは、５色および６色のトナーが使用される構成に限定されず、例えば、４色以下や、７色以上のトナーが使用される構成も可能である。
【０１０７】
（Ｈ03）前記実施例において、Ｇ：グリーン、Ｏ：オレンジ、Ｙ：イエロー、Ｍ：マゼンタ、Ｃ：シアン、Ｋ：黒の６色のトナーを使用したが、これに限定されず、例えば、Ｇ：グリーン、Ｏ：オレンジのトナーに替えて、前記６色以外の色のトナーを使用することも可能である。また、他にも、防水、保護のために画像表面をコーティングする無色トナーや、盗難防止等のために印刷用紙の画像内に予め設定された形状、配列、例えば、線状の磁気ワイヤを形成するための磁気トナーを使用することも可能である。なお、磁気ワイヤから発生する磁気パルスを検出する盗難防止装置については、例えば、特開２００６−２５６１２４号公報等に記載されており、公知である。
（Ｈ04）前記実施例において、前記各１次転写領域Ｑ３ｇ〜Ｑ３ｋに、前記各感光体ドラムＰｇ〜Ｐｋに対向する前記各１次転写ロールＴ１ｇ〜Ｔ１ｋを配置したが、これに限定されず、例えば、前記各１次転写ロールＴ１ｇ〜Ｔ１ｋに替えて、非接触型の１次転写コロトロンを配置することも可能である。この場合、前記各リトラクトロールＲ１〜Ｒ５が離隔位置に移動しても、対応する不使用の各１次転写コロトロンが非接触となるように予め配置することにより、前記各リトラクトロールＲ１〜Ｒ５と前記各除電板金ＪＢとの移動に、各１次転写コロトロンを連動させなくても、本発明の作用効果を奏することが可能である。
【０１０８】
（Ｈ05）前記実施例において、前記各ロールＲ１〜Ｒ５，Ｔ１ｇ〜Ｔ１ｋを接触位置と離隔位置との間で移動させて、前記中間転写ベルトＢと前記各感光体ドラムＰｇ〜Ｐｋとを接触・離隔させているが、これに限定されず、例えば、前記各リトラクトロールＲ１〜Ｒ５を省略して、前記各１次転写ロールＴ１ｇ〜Ｔ１ｍのみを接触位置と離隔位置との間で移動させ、且つ、前記各１次転写ロールＴ１ｇ〜Ｔ１ｍによる前記中間転写ベルトＢの移動と前記除電板金ＪＢの移動とを連動させる構成とした場合でも、本発明の作用効果を奏することが可能である。すなわち、前記各１次転写ロールＴ１ｇ〜Ｔ１ｍに、前記各リトラクトロールＲ１〜Ｒ５の機能を備えさせることも可能である。
（Ｈ06）前記実施例において、前記除電板金ＪＢは、前記中間転写ベルトＢに対して非接触で配置されるように構成したが、この構成に限定されず、例えば、前記除電板金ＪＢに替えて、除電部材の一例としての導電性不織布や除電ブラシ等を前記中間転写ベルトＢに接触させる構成とすることも可能である。なお、この場合、前記各リンクＬＮ１〜ＬＮ４と同様の構成を設けて、中間転写ベルトＢの移動と導電性不織布・除電ブラシの移動とを連動させるように構成し、導電性不織布や除電ブラシの押圧力の変化や離間によって、前記中間転写ベルトＢの搬送抵抗や除電性能が変化しないようにすることが可能である。
【０１０９】
（Ｈ07）前記実施例１において、図１０に示すテンションラインの発生を低減させるために、前記各離間時張架ロールＲｔａ，Ｒｔｂ以外にも、同様の離間時張架ロールを１箇所以上設けることにより、前記テンションラインの発生をさらに低減することも可能である。なお、前記実施例１のように、前記テンションラインの発生し易い位置に、すなわち、フリー長が長くなり過ぎる位置に応じて、前記各離間時張架ロールＲｔａ，Ｒｔｂを複数配置することが好ましいが、これに限定されず、前記実施例２のように、装置の構成等によっては、最大で６色現像が可能なベルトモジュールＢＭでも、前記離間時張架ロール（Ｒｔａ，Ｒｔｂ）を１箇所にのみ配置する構成も可能である。
（Ｈ08）前記実施例１において、図２に示す各線分Ｌ１〜Ｌ４が直線状となるように、各張架ロール（Ｒｄ，Ｒｔ，Ｒｔ２，Ｒｔ３，Ｒ１〜Ｒ５，Ｔ１ｇ〜Ｔ１ｋ）を配置することが好ましいが、これに限定されず、各線分Ｌ１〜Ｌ４が直線状とならない場合にも、本発明の作用効果を奏することが可能である。
【０１１０】
（Ｈ09）前記実施例１において、ＹＭＣＫの前記各色の可視像形成部材（ＵＹ＋ＧＹ）〜（ＵＫ＋ＧＫ）を可能な限り水平方向に配置するために、前記各線分Ｌ１〜Ｌ４を左右方向やその傾斜方向に延びるように構成し、特に、前記第１線分Ｌ１を水平方向に延びるように構成したが、これに限定されず、例えば、前記各色の可視像形成部材（ＵＹ＋ＧＹ）〜（ＵＫ＋ＧＫ）を可能な限り垂直方向に延びるように配置するために、前記各線分Ｌ１〜Ｌ４を上下方向やその傾斜方向に延びるように構成することも可能である。なお、この場合、特に、前記第１線分Ｌ１を垂直方向に延びるように構成することが好ましい。
（Ｈ010）前記実施例において、前記第３リトラクトロールＲ３が第３離隔位置に移動した場合に、前記リンクＬＮ３により、前記３色用感光体ドラムＰｙ〜Ｐｃを前記中間転写ベルトＢから同時に離隔したが、これに限定されず、例えば、ＹＭＣの各感光体ドラムＰｙ〜Ｐｃに応じた各リトラクトロールおよび各リンクを別々に構成することにより、前記３色用感光体ドラムＰｙ〜Ｐｃを前記中間転写ベルトＢから同時に離隔する構成とすることも、個別に離隔する構成とすることも可能である。
【０１１１】
（Ｈ011）前記実施例において、特色用感光体ドラムＰｇ，Ｐｏは、ＹＭＣＫの各感光体ドラムＰｙ〜ＰｋのＹａ方向上流側に配置されているが、これに限定されず、例えば、黒色用感光体ドラムＰｋのＹａ方向下流側に配置したり、ＹＭＣＫの各感光体ドラムＰｙ〜Ｐｋの間に配置したりすることも可能である。また、例えば、前記橙色感光体ドラムＰｏのみ、黒色用感光体ドラムＰｋのＹａ方向下流側に配置することも可能である。
（Ｈ012）前記実施例１では、図５に示す、「ＧＯＹＭＣＫ」の全６色を使用する場合、「ＧＹＭＣＫ」，「ＯＹＭＣＫ」の５色を使用する場合、「ＹＭＣＫ」，「ＧＹＭＣ」，「ＯＹＭＣ」の４色を使用する場合、「ＹＭＣ」の３色を使用する場合、「ＧＯ」，「ＧＫ」，「ＯＫ」の２色を使用する場合、「Ｇ」，「Ｏ」，「Ｋ」の１色を使用する場合、「なし」、すなわち、１色も使用しない場合、の全１４パターンが実行されているが、これに限定されず、例えば、「ＧＯＹＭＣ」の５色を使用する場合や、「ＧＯＫ」の３色を使用する場合の２パターンを追加することも可能である。
（Ｈ013）前記実施例１において、図２に示す第３角度γについては、γ＝０とすることも可能である。すなわち、緑色用感光体ドラムＰｇを第２線分Ｌ２の延長線上に配置して、特色用感光体ドラムＰｇ，Ｐｏを同一線上に配置することも可能である。
【符号の説明】
【０１１２】
Ｂ…中間転写体、ＢＭ…中間転写装置、Ｆ…定着装置、ＧＧ〜ＧＫ…各現像装置、Ｌａ…第１の線分、Ｌｂ…第２の線分、Ｐｇ〜Ｐｋ…各像保持体、Ｐｇ…第１像保持体、Ｐｏ…第２像保持体、Ｐｙ…第３像保持体、Ｒ１…第１移動部材、Ｒ２…第２移動部材、Ｒ３…第３移動部材、Ｒｄ…第１張力付与部材、Ｒｔ２…第２張力付与部材、Ｒｔ３…第４張力付与部材、Ｒｔａ，Ｒｔｂ，Ｒｔａ′…第３張力付与部材、Ｓ…媒体、Ｔ２…最終転写部材、ＴＳ…転写装置、Ｕ…画像形成装置。
【図１】
2010230968.tif 000003
【図２】
2010230968.tif 000004
【図３】
2010230968.tif 000005
【図４】
2010230968.tif 000006
【図５】
2010230968.tif 000007
【図６】
2010230968.tif 000008
【図７】
2010230968.tif 000009
【図８】
2010230968.tif 000010
【図９】
2010230968.tif 000011
【図１０】
2010230968.tif 000012
【図１１】
2010230968.tif 000013
【図１２】
2010230968.tif 000014
【図１３】
2010230968.tif 000015
【図１４】
2010230968.tif 000016